(57)【特許請求の範囲】
【請求項１】
タッチスクリーンと、前記タッチスクリーンに接続されたコントローラと、少なくとも１つのタッチ制御ユニットとを備える端末であって、
前記タッチ制御ユニットは、検出電極と、誘導電極と、前記検出電極及び前記誘導電極を接続する導線とを有し、
前記検出電極は、前記タッチスクリーンのタッチ領域の外側に位置し、前記誘導電極は、前記タッチスクリーンの前記タッチ領域の中に位置し、前記誘導電極は、前記タッチスクリーンの少なくとも１つの静電容量ノードに結合され、
前記コントローラは、前記少なくとも１つの静電容量ノードの静電容量変化パラメータと、前記少なくとも１つの静電容量ノードに隣接するノードの静電容量変化パラメータとを取得するように構成され、前記静電容量変化パラメータは、対応する静電容量ノードの一定期間内の静電容量変化値を示すのに用いられ、
前記コントローラは、前記少なくとも１つの静電容量ノードの前記静電容量変化パラメータと、前記少なくとも１つの静電容量ノードに隣接する前記ノードの前記静電容量変化パラメータとに従って、前記検出電極がタッチ操作を受信したか否かを検出するように構成され、
前記コントローラは、前記検出電極が前記タッチ操作を受信したという検出結果であるとき、前記タッチ操作を示すのに用いられるタッチイベントを生成するように構成され、
前記コントローラは、前記検出電極が前記タッチ操作を受信したと決定する前に、Ｎ個の誘導サブ電極とそれぞれ結合される静電容量ノードの静電容量変化パラメータに含まれる静電容量変化値が事前設定された比率であるか否かを検出するように構成され、
前記コントローラは、前記Ｎ個の誘導サブ電極にそれぞれ結合される前記静電容量ノードの前記静電容量変化パラメータに含まれる前記静電容量変化値が前記事前設定された比率であるとき、前記検出電極が前記タッチ操作を受信したと決定するように構成され、
前記誘導電極は前記Ｎ個の誘導サブ電極を含み、前記Ｎ個の誘導サブ電極は互いに絶縁され、前記Ｎ個の誘導サブ電極にそれぞれ結合される前記静電容量ノードは互いに隣接せず、Ｎは整数であり且つＮ≧２である、
端末。
【請求項２】
前記コントローラは、前記少なくとも１つの静電容量ノードの前記静電容量変化パラメータに含まれる前記静電容量変化値が第１の事前設定された閾値よりも大きいか否かを検出し、前記少なくとも１つの静電容量ノードに隣接する前記ノードの前記静電容量変化パラメータに含まれる前記静電容量変化値が前記第１の事前設定された閾値以下であるか否かを検出するように構成され、
前記コントローラは、前記少なくとも１つの静電容量ノードの前記静電容量変化パラメータに含まれる前記静電容量変化値が前記第１の事前設定された閾値よりも大きく、前記少なくとも１つの静電容量ノードに隣接する前記ノードの前記静電容量変化パラメータに含まれる前記静電容量変化値が前記第１の事前設定された閾値以下であるとき、前記検出電極が前記タッチ操作を受信したと決定するように構成される、
請求項１に記載の端末。
【請求項３】
前記コントローラは、前記少なくとも１つの静電容量ノードの前記静電容量変化パラメータに含まれる前記静電容量変化値が所定の値と一致するか否かを検出するように構成され、前記所定の値は、前記少なくとも１つの静電容量ノードがタッチ操作を受信したときの前記少なくとも１つの静電容量ノードの静電容量変化値とは異なり、
前記コントローラは、前記少なくとも１つの静電容量ノードに隣接する前記ノードの前記静電容量変化パラメータに含まれる前記静電容量変化値が第２の事前設定された閾値以下であるか否かを検出するように構成され、
前記コントローラは、前記少なくとも１つの静電容量ノードの前記静電容量変化パラメータに含まれる前記静電容量変化値が前記所定の値と一致し、前記少なくとも１つの静電容量ノードに隣接する前記ノードの前記静電容量変化パラメータに含まれる前記静電容量変化値が前記第２の事前設定された閾値以下であるとき、前記検出電極が前記タッチ操作を受信したと決定するように構成される、
請求項１に記載の端末。
【請求項４】
前記検出電極は単極であり、前記Ｎ個の誘導サブ電極は、前記導線に用いて前記検出電極にそれぞれ接続される、
請求項１に記載の端末。
【請求項５】
前記検出電極が前記タッチ操作を受信したとき、前記Ｎ個の誘導サブ電極にそれぞれ対応する静電容量ノードの静電容量変化パラメータは、事前設定された比率である、
請求項４に記載の端末。
【請求項６】
前記検出電極はＮ個の検出サブ電極を含み、
前記Ｎ個の検出サブ電極は互いに絶縁され、前記Ｎ個の検出サブ電極は、前記導線を用いて、前記Ｎ個の誘導サブ電極に一対一で接続される、
請求項１に記載の端末。
【請求項７】
各誘導サブ電極の面積は、２つの静電容量ノードの面積を超えない、
請求項１に記載の端末。
【請求項８】
前記導線において前記タッチスクリーンの静電容量ノードを通過する部分の幅≦１ｍｍである、
請求項１乃至７のいずれか一項に記載の端末。
【請求項９】
前記検出電極が前記タッチ操作を受信したとき、前記少なくとも１つの静電容量ノードの静電容量変化値は所定の値と一致し、
前記所定の値は、前記少なくとも１つの静電容量ノードが前記タッチ操作を受信したときの前記少なくとも１つの静電容量ノードの静電容量変化値と異なる、
請求項１乃至７のいずれか一項に記載の端末。
【発明の詳細な説明】
【技術分野】
【０００１】
本発明は、端末制御の分野に関し、特に、端末、タッチ制御ユニット、タッチスクリーン、スクリーンプロテクタ、操作検出装置及び方法に関する。
【背景技術】
【０００２】
電子技術の連続的な発展に伴い、スマートフォン、タブレットコンピュータ、電子ブックリーダ等の、タッチスクリーンを備える端末がますます普及している。
【０００３】
ユーザが端末を制御するためにタッチスクリーンに対してタッチ操作を行うと、ユーザの指がタッチスクリーンに表示されるコンテンツを妨害する傾向がある。ユーザのタッチ操作によって生じる画面の妨害を最小限にするために、既存の端末では、通常、端末のタッチスクリーンの外側に独立したタッチキーが設けられる。このようなタッチキーは、メニューキー、リターンキー、ホームキー等、一般に使用されるファンクションキーとして対応して設定される。タッチスクリーンと同様の構造で、タッチキーは完全な静電容量ノードを備えることができ、静電容量ノードは、互いに絶縁された導体の２つの層を備えることができる。ユーザがタッチキーをタッチすると、静電容量ノードの上層導体と指との間に電荷移動が生じる。したがって、静電容量ノードの静電容量が変化し、端末は、静電容量の変化に応じて、ユーザがタッチキーに対してタッチ制御操作を行うことを検出し、それからタッチキーに対応する機能命令を実行することができる。
【０００４】
本発明を実施する過程において、従来技術には少なくとも以下の問題があることが見出された。
【０００５】
タッチスクリーンの外側に設けられる既存のタッチキーは、一般に、端末の比較的大きな空間を占有する必要がある独立したタッチ検出コンポーネントであり、よりコストがかかり、対応する機能が限られる。したがって、ユーザエクスペリエンスが良くない。
【発明の概要】
【０００６】
タッチスクリーンの外側に設けられる既存のタッチキーが、一般に、端末の比較的大きな空間を占有する必要がある独立したタッチ検出コンポーネントであり、よりコストがかかり、対応する機能が限られ、したがってユーザエクスペリエンスが良くないという従来技術の課題を解決するために、本発明の実施形態は、端末、タッチ制御ユニット、タッチスクリーン、スクリーンプロテクタ、操作検出装置及び方法を提供する。技術的解決策は以下のとおりである。
【０００７】
第１の態様によれば、端末が提供される。本端末は、タッチスクリーンと、タッチスクリーンに接続されたコントローラと、少なくとも１つのタッチ制御ユニットとを備える。タッチ制御ユニットは、検出電極と、誘導電極と、検出電極及び誘導電極を接続する導線とを有し、
検出電極は、タッチスクリーンのタッチ領域の外側に位置し、誘導電極は、タッチスクリーンのタッチ領域の中に位置し、誘導電極は、タッチスクリーンの少なくとも１つの静電容量ノードに結合され、
コントローラは、少なくとも１つの静電容量ノードの静電容量変化パラメータと、少なくとも１つの静電容量ノードに隣接するノードの静電容量変化パラメータとを取得するように構成され、静電容量変化パラメータは、対応する静電容量ノードの一定期間内の静電容量変化値を示すのに用いられ、
コントローラは、少なくとも１つの静電容量ノードの静電容量変化パラメータと、少なくとも１つの静電容量ノードに隣接するノードの静電容量変化パラメータとに従って、検出電極がタッチ操作を受信したか否かを検出するように構成され、
コントローラは、検出電極がタッチ操作を受信したという検出結果であるとき、タッチ操作を示すのに用いられるタッチイベントを生成するように構成される。
【０００８】
第１の態様の第１の可能な実施方式では、コントローラは、少なくとも１つの静電容量ノードの静電容量変化パラメータに含まれる静電容量変化値が第１の事前設定された閾値よりも大きいか否かを検出し、少なくとも１つの静電容量ノードに隣接するノードの静電容量変化パラメータに含まれる静電容量変化値が第１の事前設定された閾値以下であるか否かを検出するように構成され、
コントローラは、少なくとも１つの静電容量ノードの静電容量変化パラメータに含まれる静電容量変化値が第１の事前設定された閾値よりも大きく、少なくとも１つの静電容量ノードに隣接するノードの静電容量変化パラメータに含まれる静電容量変化値が第１の事前設定された閾値以下であるとき、検出電極がタッチ操作を受信したと決定するように構成される。
【０００９】
第１の態様又は第１の態様の第１の可能な実施方式に関して、第１の態様の第２の可能な実施方式では、コントローラは、検出電極がタッチ操作を受信したと決定する前に、Ｎ個の誘導サブ電極とそれぞれ結合される静電容量ノードの静電容量変化パラメータに含まれる静電容量変化値が事前設定された比率であるか否かを検出するように構成され、
コントローラは、Ｎ個の誘導サブ電極にそれぞれ結合される静電容量ノードの静電容量変化パラメータに含まれる静電容量変化値が事前設定された比率であるとき、検出電極がタッチ操作を受信したと決定するステップを実行するように構成され、
誘導電極はＮ個の誘導サブ電極を含み、Ｎ個の誘導サブ電極は互いに絶縁され、Ｎ個の誘導サブ電極にそれぞれ結合される静電容量ノードは互いに隣接せず、Ｎは整数であり且つＮ≧２である。
【００１０】
第１の態様の第３の可能な実施方式では、コントローラは、少なくとも１つの静電容量ノードの静電容量変化パラメータに含まれる静電容量変化値が所定の値と一致するか否かを検出するように構成される。所定の値は、少なくとも１つの静電容量ノードがタッチ操作を受信したときの少なくとも１つの静電容量ノードの静電容量変化値とは異なり、
コントローラは、少なくとも１つの静電容量ノードに隣接するノードの静電容量変化パラメータに含まれる静電容量変化値が第２の事前設定された閾値以下であるか否かを検出するように構成され、
コントローラは、少なくとも１つの静電容量ノードの静電容量変化パラメータに含まれる静電容量変化値が所定の値と一致し、少なくとも１つの静電容量ノードに隣接するノードの静電容量変化パラメータに含まれる静電容量変化値が第２の事前設定された閾値以下であるとき、検出電極がタッチ操作を受信したと決定するように構成される。
【００１１】
第２の態様によれば、タッチ制御ユニットが提供され、タッチスクリーン及びコントローラを有する端末に適用される。タッチ制御ユニットは、検出電極と、誘導電極と、検出電極及び誘導電極を接続する導線とを備え、
検出電極は、タッチスクリーンのタッチ領域の外側に位置し、誘導電極は、タッチスクリーンのタッチ領域の中に位置し、誘導電極は、タッチスクリーンの少なくとも１つの静電容量ノードに結合され、それによりコントローラが、少なくとも１つの静電容量ノードの静電容量変化パラメータと、少なくとも１つの静電容量ノードに隣接するノードの静電容量変化パラメータとに従って、検出電極がタッチ操作を受信したと検出したときに、タッチ操作を示すのに用いられるタッチイベントを生成し、静電容量変化パラメータは、対応する静電容量ノードの一定期間内の静電容量変化値を示すのに用いられる。
【００１２】
第２の態様の第１の可能な実施方式では、誘導電極はＮ個の誘導サブ電極を含む。Ｎ個の誘導サブ電極は互いに絶縁され、Ｎ個の誘導サブ電極にそれぞれ結合される静電容量ノードは互いに隣接せず、Ｎは整数であり且つＮ≧２である。
【００１３】
第２の態様の第１の可能な実施方式に関して、第２の態様の第２の可能な実施方式では、検出電極は単極である。Ｎ個の誘導サブ電極は、導線を用いて検出電極にそれぞれ接続される。
【００１４】
第２の態様の第１の可能な実施方式に関して、第２の態様の第３の可能な実施方式では、検出電極がタッチ操作を受信したとき、Ｎ個の誘導サブ電極にそれぞれ対応する静電容量ノードの静電容量変化パラメータは、事前設定された比率である。
【００１５】
第２の態様の第１の可能な実施方式に関して、第２の態様の第４の可能な実施方式では、検出電極はＮ個の検出サブ電極を含む。Ｎ個の検出サブ電極は互いに絶縁され、Ｎ個の検出サブ電極は、導線を用いて、Ｎ個の誘導サブ電極に一対一で接続される。
【００１６】
第２の態様の第１の可能な実施方式に関して、第２の態様の第５の可能な実施方式では、各誘導サブ電極の面積は、２つの静電容量ノードの面積を超えない。
【００１７】
第２の態様又は第２の態様の第１〜第５の可能な実施方式のいずれか１つに関して、第２の態様の第６の可能な実施方式では、導線の幅≦１ｍｍである。
【００１８】
第２の態様又は第２の態様の第１〜第５の可能な実施方式のいずれか１つに関して、第２の態様の第７の可能な実施方式では、検出電極がタッチ操作を受信したとき、少なくとも１つの静電容量ノードの静電容量変化値は所定の値と一致する。所定の値は、少なくとも１つの静電容量ノードがタッチ操作を受信したときの少なくとも１つの静電容量ノードの静電容量変化値と異なる。
【００１９】
第３の態様によれば、タッチスクリーンが提供される。本タッチスクリーンは、
第２の態様又は第２の態様の可能な実施方式のいずれか１つに係る、少なくとも１つのタッチ制御ユニット、
を備える。
【００２０】
第４の態様によれば、スクリーンプロテクタが提供され、タッチスクリーンの上面を覆うように構成される。本スクリーンプロテクタは、
第２の態様又は第２の態様の可能な実施方式のいずれか１つに係る、少なくとも１つのタッチ制御ユニット、
を備える。
【００２１】
第５の態様によれば、操作検出装置が提供され、タッチスクリーンと、タッチスクリーンに接続されたコントローラと、少なくとも１つのタッチ制御ユニットとを有する端末に適用される。タッチ制御ユニットは、検出電極と、誘導電極と、検出電極及び誘導電極を接続する導線とを有する。検出電極は、タッチスクリーンのタッチ領域の外側に位置し、誘導電極は、タッチスクリーンのタッチ領域の中に位置し、誘導電極は、タッチスクリーンの少なくとも１つの静電容量ノードに結合される。本装置は、
少なくとも１つの静電容量ノードの静電容量変化パラメータと、少なくとも１つの静電容量ノードに隣接するノードの静電容量変化パラメータとを取得するように構成されるパラメータ取得モジュールであって、静電容量変化パラメータは、対応する静電容量ノードの一定期間内の静電容量変化値を示すのに用いられる、パラメータ取得モジュールと、
少なくとも１つの静電容量ノードの静電容量変化パラメータと、少なくとも１つの静電容量ノードに隣接するノードの静電容量変化パラメータとに従って、検出電極がタッチ操作を受信したか否かを検出するように構成される検出モジュールと、
検出電極がタッチ操作を受信したという検出結果であるとき、タッチ操作を示すのに用いられるタッチイベントを生成するように構成されるイベント生成モジュールと、
を備える。
【００２２】
第５の態様の第１の可能な実施方式では、検出モジュールは、
少なくとも１つの静電容量ノードの静電容量変化パラメータに含まれる静電容量変化値が第１の事前設定された閾値よりも大きいか否かを検出するように構成される第１の検出ユニットと、
少なくとも１つの静電容量ノードに隣接するノードの静電容量変化パラメータに含まれる静電容量変化値が第１の事前設定された閾値以下であるか否かを検出するように構成される第２の検出ユニットと、
少なくとも１つの静電容量ノードの静電容量変化パラメータに含まれる静電容量変化値が第１の事前設定された閾値よりも大きく、少なくとも１つの静電容量ノードに隣接するノードの静電容量変化パラメータに含まれる静電容量変化値が第１の事前設定された閾値以下であるとき、検出電極がタッチ操作を受信したと決定するように構成される第１の決定ユニットと、
を有する。
【００２３】
第５の態様又は第５の態様の第１の可能な実施方式に関して、第５の態様の第２の可能な実施方式では、検出モジュールは更に、
検出電極がタッチ操作を受信したと第１の決定ユニットが決定する前に、Ｎ個の誘導サブ電極とそれぞれ結合される静電容量ノードの静電容量変化パラメータに含まれる静電容量変化値が事前設定された比率であるか否かを検出するように構成される第３の検出ユニット、
を有し、
第１の決定ユニットは、Ｎ個の誘導サブ電極にそれぞれ結合される静電容量ノードの静電容量変化パラメータに含まれる静電容量変化値が事前設定された比率であるとき、検出電極がタッチ操作を受信したと決定するステップを実行するように構成され、
誘導電極はＮ個の誘導サブ電極を含み、Ｎ個の誘導サブ電極は互いに絶縁され、Ｎ個の誘導サブ電極にそれぞれ結合される静電容量ノードは互いに隣接せず、Ｎは整数であり且つＮ≧２である。
【００２４】
第５の態様の第３の可能な実施方式では、検出モジュールは、
少なくとも１つの静電容量ノードの静電容量変化パラメータに含まれる静電容量変化値が所定の値と一致するか否かを検出するように構成される第４の検出モジュールであって、所定の値は、少なくとも１つの静電容量ノードがタッチ操作を受信したときの少なくとも１つの静電容量ノードの静電容量変化値とは異なる、第４の検出モジュールと、
少なくとも１つの静電容量ノードに隣接するノードの静電容量変化パラメータに含まれる静電容量変化値が第２の事前設定された閾値以下であるか否かを検出するように構成される第５の検出ユニットと、
少なくとも１つの静電容量ノードの静電容量変化パラメータに含まれる静電容量変化値が所定の値と一致し、少なくとも１つの静電容量ノードに隣接するノードの静電容量変化パラメータに含まれる静電容量変化値が第２の事前設定された閾値以下であるとき、検出電極がタッチ操作を受信したと決定するように構成される第２の決定ユニットと、
を有する。
【００２５】
第６の態様によれば、操作検出方法が提供され、タッチスクリーンと、タッチスクリーンに接続されたコントローラと、少なくとも１つのタッチ制御ユニットとを備える端末に適用される。タッチ制御ユニットは、検出電極と、誘導電極と、検出電極及び誘導電極を接続する導線とを有する。検出電極は、タッチスクリーンのタッチ領域の外側に位置し、誘導電極は、タッチスクリーンのタッチ領域の中に位置し、誘導電極は、タッチスクリーンの少なくとも１つの静電容量ノードに結合される。本方法は、
少なくとも１つの静電容量ノードの静電容量変化パラメータと、少なくとも１つの静電容量ノードに隣接するノードの静電容量変化パラメータとを取得するステップであって、静電容量変化パラメータは、対応する静電容量ノードの一定期間内の静電容量変化値を示すのに用いられる、ステップと、
少なくとも１つの静電容量ノードの静電容量変化パラメータと、少なくとも１つの静電容量ノードに隣接するノードの静電容量変化パラメータとに従って、検出電極がタッチ操作を受信したか否かを検出するステップと、
検出電極がタッチ操作を受信したという検出結果であるとき、タッチ操作を示すのに用いられるタッチイベントを生成するステップと、
を含む。
【００２６】
第６の態様の第１の可能な実施方式では、少なくとも１つの静電容量ノードの静電容量変化パラメータと、少なくとも１つの静電容量ノードに隣接するノードの静電容量変化パラメータとに従って、検出電極がタッチ操作を受信したか否かを検出するステップは、
少なくとも１つの静電容量ノードの静電容量変化パラメータに含まれる静電容量変化値が第１の事前設定された閾値よりも大きいか否かを検出し、少なくとも１つの静電容量ノードに隣接するノードの静電容量変化パラメータに含まれる静電容量変化値が第１の事前設定された閾値以下であるか否かを検出するステップと、
少なくとも１つの静電容量ノードの静電容量変化パラメータに含まれる静電容量変化値が第１の事前設定された閾値よりも大きく、少なくとも１つの静電容量ノードに隣接するノードの静電容量変化パラメータに含まれる静電容量変化値が第１の事前設定された閾値以下であるとき、検出電極がタッチ操作を受信したと決定するステップと、
を含む。
【００２７】
第６の態様又は第６の態様の第１の可能な実施方式に関して、第６の態様の第２の可能な実施方式では、本方法は更に、
検出電極がタッチ操作を受信したと決定する前に、Ｎ個の誘導サブ電極とそれぞれ結合される静電容量ノードの静電容量変化パラメータに含まれる静電容量変化値が事前設定された比率であるか否かを検出するステップと、
Ｎ個の誘導サブ電極にそれぞれ結合される静電容量ノードの静電容量変化パラメータに含まれる静電容量変化値が事前設定された比率であるとき、検出電極がタッチ操作を受信したと決定するステップを実行するステップと、
を含む。誘導電極はＮ個の誘導サブ電極を含む。Ｎ個の誘導サブ電極は互いに絶縁され、Ｎ個の誘導サブ電極にそれぞれ結合される静電容量ノードは互いに隣接せず、Ｎは整数であり且つＮ≧２である。
【００２８】
第６の態様の第３の可能な実施方式では、少なくとも１つの静電容量ノードの静電容量変化パラメータと、少なくとも１つの静電容量ノードに隣接するノードの静電容量変化パラメータとに従って、検出電極がタッチ操作を受信したか否かを検出するステップは、
少なくとも１つの静電容量ノードの静電容量変化パラメータに含まれる静電容量変化値が所定の値と一致するか否かを検出し、少なくとも１つの静電容量ノードに隣接するノードの静電容量変化パラメータに含まれる静電容量変化値が第２の事前設定された閾値以下であるか否かを検出するステップであって、所定の値は、少なくとも１つの静電容量ノードがタッチ操作を受信したときの少なくとも１つの静電容量ノードの静電容量変化値とは異なる、ステップと、
少なくとも１つの静電容量ノードの静電容量変化パラメータに含まれる静電容量変化値が所定の値と一致し、少なくとも１つの静電容量ノードに隣接するノードの静電容量変化パラメータに含まれる静電容量変化値が第２の事前設定された閾値以下であるとき、検出電極がタッチ操作を受信したと決定するステップ、
を含む。
【００２９】
本発明の実施形態で提供される技術的解決策は、以下の有益な効果をもたらす。
【００３０】
検出電極がタッチスクリーンのタッチ領域の外側に設けられ、誘導電極がタッチ領域の中に設けられ、検出電極と誘導電極は導線を用いて接続される。ユーザが検出電極を操作すると、誘導電極に結合された静電容量ノードの静電容量変化値に変化が生じる。それによりコントローラは、誘導電極に結合された静電容量ノードの静電容量変化に従って、検出電極がタッチ操作を受信したか否かを検出し、検出電極がタッチ操作を受信したことを検出したときに、対応するタッチイベントを生成することができる。タッチスクリーンの既存の静電容量ノードは、タッチスクリーンの外側に設けられた検出電極に対してユーザが行ったタッチ操作を識別するのに用いられ、端末はタッチ操作に従って制御される。これにより更に、非常に小さなスペースを占用し非常に低いコストをかけるだけで、端末のキーの数を増やし、端末の制御方式を拡張することができる。したがって、ユーザエクスペリエンスが改善される。
【図面の簡単な説明】
【００３１】
本発明の実施形態における技術的解決策をより明確に説明するために、以下、実施形態を説明するために必要な添付図面を簡潔に説明する。明らかながら、添付図面は以下の説明において、本発明の一部の実施形態を示すものに過ぎない。当業者であれば、これらの添付図面から創意工夫なく他の図面を更に導出できるであろう。
【図１】本発明の実施形態に係る端末の概略構造図である。
【図２】本発明の別の実施形態に係る端末の概略構造図である。
【図３】本発明の別の実施形態に係る静電容量変化値の概略図である。
【図４】本発明の実施形態に係るタッチ制御ユニットの概略構造図である。
【図５】本発明の別の実施形態に係るタッチ制御ユニットの概略構造図である。
【図６】本発明の更に別の実施形態に係るタッチ制御ユニットの概略構造図である。
【図７】本発明の実施形態に係るタッチスクリーンの概略構造図である。
【図８】本発明の実施形態に係るスクリーンプロテクタの概略構造図である。
【図９】本発明の実施形態に係る操作検出装置の装置構造図である。
【図１０】本発明の別の実施形態に係る操作検出装置の装置構造図である。
【図１１】本発明の実施形態に係る操作検出方法の方法フローチャートである。
【図１２】本発明の別の実施形態に係る操作検出方法の方法フローチャートである。
【発明を実施するための形態】
【００３２】
本発明の実施形態の目的、技術的解決策及び利点をより明確にするために、以下、添付図面を参照しながら、本発明の実施形態を更に詳細に説明する。
【００３３】
図１を参照する。図１は、本発明の実施形態に係る端末の概略構造図を示す。端末１００は、タッチスクリーン１１０と、タッチスクリーン１１０に接続されたコントローラ１２０と、少なくとも１つのタッチ制御ユニット１３０とを備えてよい。タッチ制御ユニット１３０は、検出電極１３２と、誘導電極１３４と、検出電極１３２及び誘導電極１３４を接続する導線１３６とを有する。
【００３４】
検出電極１３２は、タッチスクリーン１１０のタッチ領域の外側に配置される。誘導電極１３４は、タッチスクリーン１１０のタッチ領域の中に配置される。誘導電極１３４は、タッチスクリーン１１０の少なくとも１つの静電容量ノード１１２に結合される。
【００３５】
コントローラ１２０は、少なくとも１つの静電容量ノード１２０の静電容量変化パラメータと、少なくとも１つの静電容量ノード１１２に隣接するノードの静電容量変化パラメータとを取得するように構成される。静電容量変化パラメータは、対応する静電容量ノードの一定期間内の静電容量変化値を示すのに用いられる。
【００３６】
コントローラ１２０は、少なくとも１つの静電容量ノード１２０の静電容量変化パラメータと、少なくとも１つの静電容量ノード１２０に隣接するノードの静電容量変化パラメータとに従って、検出電極１３２がタッチ操作を受信したか否かを検出するように構成される。
【００３７】
コントローラ１２０は、検出電極１３２がタッチ操作を受信したという検出結果であるとき、タッチ操作を示すのに用いられるタッチイベントを生成するように構成される。
【００３８】
検出電極と誘導電極は、両方とも導電性材料から成る。ユーザがタッチスクリーンの外側の検出電極に対してタッチ操作を行うと、検出電極の電荷が移動し、したがって、誘導電極の電荷もそれに応じて移動する。誘導電極の電荷が移動すると、タッチスクリーン上にあり且つ誘導電極に結合された静電容量ノードの静電容量変化値も変化する。タッチスクリーンに接続されたコントローラは、タッチスクリーンの全ての静電容量ノードの静電容量変化値をスキャンする。誘導ノードに結合された静電容量ノードが変化したことを検出すると、コントローラは、誘導ノードに結合された静電容量ノードの静電容量変化値と、誘導ノードに結合された静電容量ノードに隣接する静電容量ノードの静電容量変化値と、これらの静電容量ノードの位置とに従って、これらの静電容量ノードの静電容量変化が、ユーザが検出電極にタッチすることによって生じた静電容量変化であるのか、ユーザがタッチスクリーンにタッチすることによって生じた静電容量変化であるのかを決定することができる。コントローラが、これらの静電容量ノードの静電容量変化がユーザが検出電極にタッチすることによって生じた静電容量変化であると決定した場合、コントローラは、ユーザが検出電極に対して行ったタッチ操作に対応するタッチイベントを生成する。それにより端末は、タッチイベントに従って、対応する制御操作を実行する。
【００３９】
留意すべきこととして、本発明の本実施形態では、ユーザが検出電極をタッチしたと第１のコントローラが検出したときに生成されるタッチイベントは、ユーザが誘導電極の配置されるタッチ領域に対してタッチ操作を行ったときに生成されるタッチイベントとは異なる。すなわち、検出電極は独立したタッチキーであり、対応する制御命令を有し、誘導電極の配置されるタッチスクリーン領域に表示されるコンテンツとは無関係である。
【００４０】
加えて、タッチ制御ユニットは、端末のタッチスクリーンに直接設けられてよい。例えば、タッチ制御ユニットの誘導電極がタッチスクリーンの静電容量ノードと絶縁及び結合されることを条件として、タッチ制御ユニットは、タッチスクリーンの上面又は下面、或いはタッチスクリーンの内部に設けられてよい。
【００４１】
代替として、タッチ制御ユニットは、タッチスクリーンの上面を覆うスクリーンプロテクタに設けられてよい。例えば、タッチ制御ユニットの誘導電極がタッチスクリーンの静電容量ノードと絶縁及び結合されることを条件として、タッチ制御ユニットは、スクリーンプロテクタの上面又は下面、或いはスクリーンプロテクタの内部に設けられてよい。
【００４２】
要するに、本発明の本実施形態で提供される端末によれば、検出電極がタッチスクリーンのタッチ領域の外側に設けられ、誘導電極がタッチ領域の中に設けられ、検出電極と誘導電極は導線を用いて接続される。ユーザが検出電極を操作すると、誘導電極に結合された静電容量ノードの静電容量変化値に変化が生じる。それによりコントローラは、誘導電極に結合された静電容量ノードの静電容量変化に従って、検出電極がタッチ操作を受信したか否かを検出し、検出電極がタッチ操作を受信したことを検出したときに、対応するタッチイベントを生成することができる。タッチスクリーンの既存の静電容量ノードは、タッチスクリーンの外側に設けられた検出電極に対してユーザが行ったタッチ操作を識別するのに用いられ、端末はタッチ操作に従って制御される。これにより、非常に小さなスペースを占用し非常に低いコストをかけるだけで、端末のキーの数を増やし、端末の制御方式を拡張することができる。したがって、ユーザエクスペリエンスが改善される。
【００４３】
図１に示される上述の端末の更なる説明については、図２を参照されたい。図２は、本発明の別の実施形態に係る端末の概略構造図を示す。端末２００は、タッチスクリーン２１０と、タッチスクリーン２１０に接続されたコントローラ２２０と、少なくとも１つのタッチ制御ユニット２３０とを備えてよい。タッチ制御ユニット２３０は、検出電極２３２と、誘導電極２３４と、検出電極２３２及び誘導電極２３４を接続する導線２３６とを有する。
【００４４】
検出電極２３２はタッチスクリーン２１０のタッチ領域の外側に配置され、誘導電極２３４はタッチスクリーン２１０のタッチ領域の中に配置され、誘導電極２３４はタッチスクリーン２１０の少なくとも１つの静電容量ノード２１２に結合される。
【００４５】
コントローラ２２０は、少なくとも１つの静電容量ノード２１２の静電容量変化パラメータと、少なくとも１つの静電容量ノード２１２に隣接するノードの静電容量変化パラメータとを取得するように構成される。静電容量変化パラメータは、対応する静電容量ノードの一定期間内の静電容量変化値を示すのに用いられる。
【００４６】
コントローラ２２０は、少なくとも１つの静電容量ノード２１２の静電容量変化パラメータと、少なくとも１つの静電容量ノード２１２に隣接するノードの静電容量変化パラメータとに従って、検出電極２３２がタッチ操作を受信したか否かを検出するように構成される。
【００４７】
コントローラ２２０は、検出電極２３２がタッチ操作を受信したという検出結果であるとき、タッチ操作を示すのに用いられるタッチイベントを生成するように構成される。
【００４８】
検出電極と誘導電極は、両方とも導電性材料から成る。ユーザがタッチスクリーンの外側の検出電極に対してタッチ操作を行うと、検出電極の電荷が移動し、したがって、誘導電極の電荷もそれに応じて移動する。誘導電極の電荷が移動すると、タッチスクリーン上にあり且つ誘導電極に結合された静電容量ノードの静電容量変化値も変化する。タッチスクリーンに接続されたコントローラは、タッチスクリーンの全ての静電容量ノードの静電容量変化値をスキャンする。誘導ノードに結合された静電容量ノードが変化したことを検出すると、コントローラは、誘導ノードに結合された静電容量ノードの静電容量変化値と、誘導ノードに結合された静電容量ノードに隣接する静電容量ノードの静電容量変化値と、これらの静電容量ノードの位置とに従って、これらの静電容量ノードの静電容量変化が、ユーザが検出電極にタッチすることによって生じた静電容量変化であるのか、ユーザがタッチスクリーンにタッチすることによって生じた静電容量変化であるのかを決定することができる。コントローラが、これらの静電容量ノードの静電容量変化がユーザが検出電極にタッチすることによって生じた静電容量変化であると決定した場合、コントローラは、ユーザが検出電極に対して行ったタッチ操作に対応するタッチイベントを生成する。それにより端末は、タッチイベントに従って、対応する制御操作を実行する。
【００４９】
留意すべきこととして、本発明の本実施形態では、ユーザが検出電極をタッチしたと第１のコントローラが検出したときに生成されるタッチイベントは、ユーザが誘導電極の配置されるタッチ領域に対してタッチ操作を行ったときに生成されるタッチイベントとは異なる。すなわち、検出電極は独立したタッチキーであり、対応する制御命令を有し、誘導電極の配置されるタッチスクリーン領域に表示されるコンテンツとは無関係である。
【００５０】
加えて、タッチ制御ユニットは、端末のタッチスクリーンに直接設けられてよい。例えば、タッチ制御ユニットの誘導電極がタッチスクリーンの静電容量ノードと絶縁及び結合されることを条件として、タッチ制御ユニットは、タッチスクリーンの上面又は下面、或いはタッチスクリーンの内部に設けられてよい。
【００５１】
代替として、タッチ制御ユニットは、タッチスクリーンの上面を覆うスクリーンプロテクタに設けられてよい。例えば、タッチ制御ユニットの誘導電極がタッチスクリーンの静電容量ノードと絶縁及び結合されることを条件として、タッチ制御ユニットは、スクリーンプロテクタの上面又は下面、或いはスクリーンプロテクタの内部に設けられてよい。
【００５２】
任意に、コントローラ２２０は、少なくとも１つの静電容量ノード２１２の静電容量変化パラメータに含まれる静電容量変化値が第１の事前設定された閾値よりも大きいか否かを検出し、少なくとも１つの静電容量ノード２１２に隣接するノードの静電容量変化パラメータに含まれる静電容量変化値が第１の事前設定された閾値以下であるか否かを検出するように構成される。
【００５３】
コントローラ２２０は、少なくとも１つの静電容量ノード２１２の静電容量変化パラメータに含まれる静電容量変化値が第１の事前設定された閾値よりも大きく、少なくとも１つの静電容量ノード２１２に隣接するノードの静電容量変化パラメータに含まれる静電容量変化値が第１の事前設定された閾値以下であるとき、検出電極がタッチ操作を受信したと決定するように構成される。
【００５４】
更に、コントローラ２２０は、検出電極２３２がタッチ操作を受信したと決定する前に、Ｎ個の誘導サブ電極にそれぞれ結合される静電容量ノード２１２の静電容量変化パラメータに含まれる静電容量変化値が事前設定された比率であるか否かを検出するように構成される。
【００５５】
コントローラは、Ｎ個の誘導サブ電極にそれぞれ結合される静電容量ノード２１２の静電容量変化パラメータに含まれる静電容量変化値が事前設定された比率であるとき、検出電極２３２がタッチ操作を受信したと決定するステップを実行するように構成される。
【００５６】
誘導電極２３４は、Ｎ個の誘導サブ電極を含む。Ｎ個の誘導サブ電極は互いに絶縁され、Ｎ個の誘導サブ電極にそれぞれ結合される静電容量ノード２１２は互いに隣接しない。Ｎは整数であり且つＮ≧２である。
【００５７】
例えば、誘導電極に結合された静電容量ノードの静電容量変化値が比較的大きく、静電容量ノードに隣接する別のノードの静電容量変化値が比較的小さいことを検出したとき、コントローラは、誘導電極に結合された静電容量ノードの静電容量変化が誘導電極における電荷移動によって生じたとみなしてよく、したがって、誘導電極に接続された検出電極がユーザのタッチ操作を受信したと決定することができる。
【００５８】
実際の適用では、ユーザがタッチスクリーンに対してタッチ操作を行い、タッチ領域が誘導電極に接続された静電容量ノードのみを含むとき、コントローラは、検出電極がユーザ操作を受信したと誤って考慮する場合があり、それにより誤検出が発生する。コントローラの誤検出の可能性を低減し、更に検出精度を改善する目的で、誘導電極はＮ個の部分に分割されてよい。各部分は導線を用いて同じ検出電極にそれぞれ接続され、全ての部分はそれぞれ異なる静電容量ノードに結合され、これらの静電容量ノードは互いに隣接しない。誘導電極のＮ個の部分に結合された静電容量ノードの静電容量変化値が条件を満たし、これらの静電容量ノードに隣接する他の静電容量ノードの静電容量変化値が条件を満たさないと検出したとき、コントローラは、誘導電極のＮ個の部分に結合された静電容量ノードの静電容量変化が、ユーザがタッチスクリーンのこれらの静電容量ノードに対して行ったタッチ操作によって生じたのではなく、ユーザが検出電極に対して行ったタッチ操作によって生じた静電容量変化であると決定することができる。
【００５９】
図３に示される静電容量変化値の概略図を参照する。誘導電極は３つの誘導サブ電極を含む。３つの誘導サブノードに結合された静電容量ノードに対応する静電容量変化値は、図３の破線の円の中に示される値である。端末によって設定される第１の事前設定された値は２０である。全ての静電容量ノードの静電容量変化値を取得した後、コントローラは、３つの誘導サブ電極にそれぞれ結合された静電容量ノードの静電容量変化値が全て２０を超え、これらの３つの静電容量ノードに隣接する他の静電容量ノードの静電容量変化値がいずれも２０を超えないことを検出し、したがって、ユーザが誘導電極に対応する検出電極に対してタッチ操作を行ったと決定することができる。
【００６０】
更に、誘導電極によって生じた静電容量ノードの静電容量変化値は、誘導電極及び検出電極の面積サイズと、誘導電極と検出電極との間のインピーダンスとによって決定される。タッチ制御ユニットの設定時、タッチ制御ユニットの全ての誘導サブ電極及び検出電極の面積サイズと、導線のインピーダンスとは、固定値に設定されてよい。それにより、ユーザが検出電極に対してタッチ操作を行うとき、全ての誘導サブ電極に結合される静電容量ノードの静電容量変化値は、所定の比率と一致する。したがって、検出精度が更に改善される。
【００６１】
図３に示される静電容量変化値の概略図を参照する。全ての静電容量ノードの静電容量変化値を取得した後、コントローラは、３つの誘導サブ電極にそれぞれ結合された静電容量ノードの静電容量変化値がそれぞれ５０，４５，４０（事前設定された比率１０：９：８と一致する）であり、これらの３つの静電容量ノードに隣接する他の静電容量ノードの静電容量変化値がいずれも２０を超えないことを検出し、したがって、ユーザが誘導電極に対応する検出電極に対してタッチ操作を行ったと決定することができる。
【００６２】
任意に、コントローラ２２０は、少なくとも１つの静電容量ノード２１２の静電容量変化パラメータに含まれる静電容量変化値が所定の値と一致するか否かを検出するように構成される。所定の値は、少なくとも１つの静電容量ノード２１２がタッチ操作を受信したときの少なくとも１つの静電容量ノード２１２の静電容量変化値とは異なる。
【００６３】
コントローラ２２０は、少なくとも１つの静電容量ノード２１２に隣接するノードの静電容量変化パラメータに含まれる静電容量変化値が、第２の事前設定された閾値以下であるか否かを検出するように構成される。
【００６４】
コントローラ２２０は、少なくとも１つの静電容量ノード２１２の静電容量変化パラメータに含まれる静電容量変化値が所定の値と一致し、少なくとも１つの静電容量ノード２１２に隣接するノードの静電容量変化パラメータに含まれる静電容量変化値が第２の事前設定された閾値以下であるとき、検出電極がタッチ操作を受信したと決定するように構成される。
【００６５】
ユーザが指でタッチスクリーンに対してタッチ操作を行うとき、静電容量ノードの静電容量変化値は相対的に固定であり、タッチ制御ユニットの全ての誘導サブ電極及び検出電極の面積サイズと、導線のインピーダンスとは、固定値に設定されてよい。したがって、ユーザが検出電極に対してタッチ操作を行うとき、誘導電極に結合された静電容量ノードの静電容量変化値は、ユーザがタッチスクリーンのタッチ領域に対してタッチ操作を行ったときの静電容量ノードの静電容量変化値とは異なる。これにより、ユーザがタッチ領域に対して行った操作とユーザが検出電極に対して行った操作とを区別するという効果が達成される。
【００６６】
例えば、ユーザが指でタッチスクリーンに対してタッチ操作を行うときに静電容量ノードの静電容量変化値が１００である場合、タッチ制御ユニットの全ての誘導サブ電極及び検出電極の面積サイズと、導線のインピーダンスとは、固定値に設定されてよい。それにより、ユーザが検出電極に対してタッチ操作を行うとき、誘導電極に結合された静電容量ノードの静電容量変化値は５０である。誘導電極に結合された静電容量ノードの静電容量変化値が約５０であり、隣接する静電容量ノードの静電容量変化値が２０を下回ることを検出したとき、コントローラは、ユーザが検出電極に対してタッチ操作を実行したと決定することができる。
【００６７】
要するに、本発明の本実施形態で提供される端末によれば、検出電極がタッチスクリーンのタッチ領域の外側に設けられ、誘導電極がタッチ領域の中に設けられ、検出電極と誘導電極は導線を用いて接続される。ユーザが検出電極を操作すると、誘導電極に結合された静電容量ノードの静電容量変化値に変化が生じる。それによりコントローラは、誘導電極に結合された静電容量ノードの静電容量変化に従って、検出電極がタッチ操作を受信したか否かを検出し、検出電極がタッチ操作を受信したことを検出したときに、対応するタッチイベントを生成することができる。タッチスクリーンの既存の静電容量ノードは、タッチスクリーンの外側に設けられた検出電極に対してユーザが行ったタッチ操作を識別するのに用いられ、端末はタッチ操作に従って制御される。これにより、非常に小さなスペースを占用し非常に低いコストをかけるだけで、端末のキーの数を増やし、端末の制御方式を拡張することができる。したがって、ユーザエクスペリエンスが改善される。
【００６８】
更に、本発明の本実施形態で提供される端末によれば、誘導電極はＮ個の誘導サブ電極に分割される。Ｎ個の誘導サブ電極は互いに絶縁され、Ｎ個の誘導サブ電極にそれぞれ結合される静電容量ノードは互いに隣接しない。Ｎ個の誘導サブ電極に対応する全ての静電容量ノードの静電容量変化値が条件を満たし、他の隣接する静電容量ノードの静電容量変化値が条件を満たさないことが検出されたとき、コントローラは、ユーザが検出電極に対してタッチ操作を行ったと決定する。したがって、誤操作が減少し、検出精度が更に改善される。
【００６９】
加えて、本発明の本実施形態で提供される端末によれば、検出電極がタッチ操作を受信したとき、Ｎ個の誘導サブ電極にそれぞれ対応する静電容量ノードの静電容量変化値は、事前設定された比率になるように設定される。したがって、誤操作が減少し、検出精度が更に改善される。
【００７０】
図４を参照する。図４は、本発明の実施形態に係るタッチ制御ユニットの概略構造図を示す。タッチ制御ユニット３３０は、タッチスクリーン３１０及びコントローラ３２０を備える端末３００に適用される。例えば、端末３００は、図１又は図２に示される端末であってよい。タッチ制御ユニット３３０は、検出電極３３２と、誘導電極３３４と、検出電極３３２及び誘導電極３３４を接続する導線３３６とを有する。
【００７１】
検出電極３３２はタッチスクリーン３１０のタッチ領域の外側に配置され、誘導電極３３４はタッチスクリーン３１０のタッチ領域の中に配置され、誘導電極３３４はタッチスクリーン３１０の少なくとも１つの静電容量ノードに結合される。よって、少なくとも１つの静電容量ノードの静電容量変化パラメータと、少なくとも１つの静電容量ノードに隣接するノードの静電容量変化パラメータとに従って、検出電極３３２がタッチ操作を受信したと検出したとき、端末３００のコントローラ３２０は、タッチ操作を示すのに用いられるタッチイベントを生成する。静電容量変化パラメータは、対応する静電容量ノードの一定期間内の静電容量変化値を示すのに用いられる。
【００７２】
検出電極と誘導電極は、両方とも導電性材料から成る。ユーザがタッチスクリーンの外側の検出電極に対してタッチ操作を行うと、検出電極の電荷が移動し、したがって、誘導電極の電荷もそれに応じて移動する。誘導電極の電荷が移動すると、タッチスクリーン上にあり且つ誘導電極に結合された静電容量ノードの静電容量変化値も変化する。タッチスクリーンに接続されたコントローラは、タッチスクリーンの全ての静電容量ノードの静電容量変化値をスキャンする。誘導ノードに結合された静電容量ノードが変化したことを検出すると、コントローラは、誘導ノードに結合された静電容量ノードの静電容量変化値と、誘導ノードに結合された静電容量ノードに隣接する静電容量ノードの静電容量変化値と、これらの静電容量ノードの位置とに従って、これらの静電容量ノードの静電容量変化が、ユーザが検出電極にタッチすることによって生じた静電容量変化であるのか、ユーザがタッチスクリーンにタッチすることによって生じた静電容量変化であるのかを決定することができる。コントローラが、これらの静電容量ノードの静電容量変化がユーザが検出電極にタッチすることによって生じた静電容量変化であると決定した場合、コントローラは、ユーザが検出電極に対して行ったタッチ操作に対応するタッチイベントを生成する。それにより端末は、タッチイベントに従って、対応する制御操作を実行する。
【００７３】
要するに、本発明の本実施形態で提供されるタッチ制御ユニットによれば、検出電極が端末のタッチスクリーンのタッチ領域の外側に設けられ、誘導電極がタッチ領域の中に設けられ、検出電極と誘導電極は導線を用いて接続される。ユーザが検出電極を操作すると、誘導電極に結合された静電容量ノードの静電容量変化値に変化が生じる。それによりコントローラは、誘導電極に結合された静電容量ノードの静電容量変化に従って、検出電極がタッチ操作を受信したか否かを検出し、検出電極がタッチ操作を受信したことを検出したときに、対応するタッチイベントを生成することができる。タッチスクリーンの既存の静電容量ノードは、タッチスクリーンの外側に設けられた検出電極に対してユーザが行ったタッチ操作を識別するのに用いられ、端末はタッチ操作に従って制御される。これにより、非常に小さなスペースを占用し非常に低いコストをかけるだけで、端末のキーの数を増やし、端末の制御方式を拡張することができる。したがって、ユーザエクスペリエンスが改善される。
【００７４】
図４に示される上述のタッチ制御ユニットの更なる説明については、図５を参照されたい。図５は、本発明の別の実施形態に係るタッチ制御ユニットの概略構造図を示す。タッチ制御ユニット３３０は、タッチスクリーン３１０及びコントローラ３２０を備える端末３００に適用される。例えば、端末３００は、図１又は図２に示される端末であってよい。タッチ制御ユニット３３０は、検出電極３３２と、誘導電極３３４と、検出電極３３２及び誘導電極３３４を接続する導線３３６とを有する。
【００７５】
検出電極３３２は端末３００のタッチスクリーン３１０のタッチ領域の外側に配置され、誘導電極３３４はタッチスクリーン３１０のタッチ領域の中に配置され、誘導電極３３４はタッチスクリーン３１０の少なくとも１つの静電容量ノードに結合される。よって、少なくとも１つの静電容量ノードの静電容量変化パラメータと、少なくとも１つの静電容量ノードに隣接するノードの静電容量変化パラメータとに従って、検出電極３３２がタッチ操作を受信したと検出したとき、端末３００のコントローラ３２０は、タッチ操作を示すのに用いられるタッチイベントを生成する。静電容量変化パラメータは、対応する静電容量ノードの一定期間内の静電容量変化値を示すのに用いられる。
【００７６】
コントローラ３２０は、少なくとも１つの静電容量ノードの静電容量変化パラメータと、少なくとも１つの静電容量ノードに隣接するノードの静電容量変化パラメータとを取得するように構成される。静電容量変化パラメータは、対応する静電容量ノードの一定期間内の静電容量変化値を示すのに用いられる。
【００７７】
コントローラ３２０は、少なくとも１つの静電容量ノードの静電容量変化パラメータと、少なくとも１つの静電容量ノードに隣接するノードの静電容量変化パラメータとに従って、検出電極がタッチ操作を受信したか否かを検出するように構成される。
【００７８】
コントローラ３２０は、検出電極がタッチ操作を受信したという検出結果であるとき、タッチ操作を示すのに用いられるタッチイベントを生成するように構成される。
【００７９】
検出電極と誘導電極は、両方とも導電性材料から成る。ユーザがタッチスクリーンの外側の検出電極に対してタッチ操作を行うと、検出電極の電荷が移動し、したがって、誘導電極の電荷もそれに応じて移動する。誘導電極の電荷が移動すると、タッチスクリーン上にあり且つ誘導電極に結合された静電容量ノードの静電容量変化値も変化する。タッチスクリーンに接続されたコントローラは、タッチスクリーンの全ての静電容量ノードの静電容量変化値をスキャンする。誘導ノードに結合された静電容量ノードが変化したことを検出すると、コントローラは、誘導ノードに結合された静電容量ノードの静電容量変化値と、誘導ノードに結合された静電容量ノードに隣接する静電容量ノードの静電容量変化値と、これらの静電容量ノードの位置とに従って、これらの静電容量ノードの静電容量変化が、ユーザが検出電極にタッチすることによって生じた静電容量変化であるのか、ユーザがタッチスクリーンにタッチすることによって生じた静電容量変化であるのかを決定することができる。コントローラが、これらの静電容量ノードの静電容量変化がユーザが検出電極にタッチすることによって生じた静電容量変化であると決定した場合、コントローラは、ユーザが検出電極に対して行ったタッチ操作に対応するタッチイベントを生成する。それにより端末は、タッチイベントに従って、対応する制御操作を実行する。
【００８０】
留意すべきこととして、タッチ制御ユニットは、端末のタッチスクリーンに直接設けられてよい。例えば、タッチ制御ユニットの誘導電極がタッチスクリーンの静電容量ノードと絶縁及び結合されることを条件として、タッチ制御ユニットは、タッチスクリーンの上面又は下面、或いはタッチスクリーンの内部に設けられてよい。
【００８１】
代替として、タッチ制御ユニットは、タッチスクリーンの上面を覆うスクリーンプロテクタに直接設けられてよい。例えば、タッチ制御ユニットの誘導電極がタッチスクリーンの静電容量ノードと絶縁及び結合されることを条件として、タッチ制御ユニットは、スクリーンプロテクタの上面又は下面、或いはスクリーンプロテクタの内部に設けられてよい。
【００８２】
誘導電極３３４は、Ｎ個の誘導サブ電極３３４２を含む。Ｎ個の誘導サブ電極３３４２は互いに絶縁され、Ｎ個の誘導サブ電極３３４２にそれぞれ結合される静電容量ノードは互いに隣接せず、Ｎは整数であり且つＮ≧２である。
【００８３】
コントローラ３２０は、少なくとも１つの静電容量ノードの静電容量変化パラメータに含まれる静電容量変化値が第１の事前設定された閾値よりも大きいか否かを検出し、少なくとも１つの静電容量ノードに隣接するノードの静電容量変化パラメータに含まれる静電容量変化値が第１の事前設定された閾値以下であるか否かを検出するように構成される。
【００８４】
コントローラ３２０は、少なくとも１つの静電容量ノードの静電容量変化パラメータに含まれる静電容量変化値が第１の事前設定された閾値よりも大きく、少なくとも１つの静電容量ノードに隣接するノードの静電容量変化パラメータに含まれる静電容量変化値が第１の事前設定された閾値以下であるとき、検出電極３３２がタッチ操作を受信したと決定するように構成される。
【００８５】
検出電極３３２は単極である。Ｎ個の誘導サブ電極３３４２は、導線３３６を用いて、検出電極３３２にそれぞれ接続される。
【００８６】
例えば、誘導電極に結合された静電容量ノードの静電容量変化値が比較的大きく、静電容量ノードに隣接する別のノードの静電容量変化値が比較的小さいことを検出したとき、コントローラは、誘導電極に結合された静電容量ノードの静電容量変化が誘導電極における電荷移動によって生じたとみなしてよく、したがって、誘導電極に接続された検出電極がユーザのタッチ操作を受信したと決定することができる。
【００８７】
実際の適用では、ユーザがタッチスクリーンに対してタッチ操作を行い、タッチ領域が誘導電極に接続された静電容量ノードのみを含むとき、コントローラは、検出電極がユーザ操作を受信したと誤って考慮する場合があり、それにより誤検出が発生する。コントローラの誤検出の可能性を低減し、更に検出精度を改善する目的で、誘導電極はＮ個の部分に分割されてよい。各部分は導線を用いて同じ検出電極にそれぞれ接続され、全ての部分はそれぞれ異なる静電容量ノードに結合され、これらの静電容量ノードは互いに隣接しない。誘導電極のＮ個の部分に結合された静電容量ノードの静電容量変化値が条件を満たし、これらの静電容量ノードに隣接する他の静電容量ノードの静電容量変化値が条件を満たさないと検出したとき、コントローラは、誘導電極のＮ個の部分に結合された静電容量ノードの静電容量変化が、ユーザがタッチスクリーンのこれらの静電容量ノードに対して行ったタッチ操作によって生じたのではなく、ユーザが検出電極に対して行ったタッチ操作によって生じた静電容量変化であると決定することができる。
【００８８】
図３に示される静電容量変化値の概略図を参照すると、誘導電極は３つの誘導サブ電極を含み、端末によって設定される第１の事前設定された値は２０である。全ての静電容量ノードの静電容量変化値を取得した後、コントローラは、３つの誘導サブ電極にそれぞれ結合された静電容量ノードの全ての静電容量変化値が２０を上回り、これらの３つの静電容量ノードに隣接する他の静電容量ノードの静電容量変化値がいずれも２０を超えないことを検出する。したがって、ユーザが誘導電極に対応する検出電極に対してタッチ操作を行ったと決定することができる。
【００８９】
更に、検出電極３３２がタッチ操作を受信したとき、Ｎ個の誘導サブ電極３３４２にそれぞれ対応する静電容量ノードの静電容量変化パラメータは、事前設定された比率である。
【００９０】
コントローラ３２０は、検出電極３３２がタッチ操作を受信したと決定する前に、Ｎ個の誘導サブ電極３３４２にそれぞれ結合される静電容量ノードの静電容量変化パラメータに含まれる静電容量変化値が事前設定された比率であるか否かを検出し、Ｎ個の誘導サブ電極３３４２にそれぞれ結合される静電容量ノードの静電容量変化パラメータに含まれる静電容量変化値が事前設定された比率であるとき、検出電極３３２がタッチ操作を受信したと決定するように構成される。
【００９１】
誘導電極によって生じた静電容量ノードの静電容量変化値は、誘導電極及び検出電極の面積サイズと、誘導電極と検出電極との間のインピーダンスとによって決定される。タッチ制御ユニットの設定時、タッチ制御ユニットの全ての誘導サブ電極及び検出電極の面積サイズと、導線のインピーダンスとは、固定値に設定されてよい。よって、ユーザが検出電極に対してタッチ操作を行うとき、全ての誘導サブ電極に結合される静電容量ノードの静電容量変化値は、所定の比率と一致する。したがって、検出精度が更に改善される。
【００９２】
図３に示される静電容量変化値の概略図を参照する。全ての静電容量ノードの静電容量変化値を取得した後、コントローラは、３つの誘導サブ電極にそれぞれ結合された静電容量ノードの静電容量変化値がそれぞれ５０，４５，４０（事前設定された比率１０：９：８と一致する）であり、これらの３つの静電容量ノードに隣接する他の静電容量ノードの静電容量変化値がいずれも２０を超えないことを検出し、したがって、ユーザが誘導電極に対応する検出電極に対してタッチ操作を行ったと決定することができる。
【００９３】
任意に、検出電極３３２がタッチ操作を受信したとき、少なくとも１つの静電容量ノードの静電容量変化値は、所定の値に一致する。所定の値は、少なくとも１つの静電容量ノードがタッチ操作を受信したときの少なくとも１つの静電容量ノードの静電容量変化値とは異なる。
【００９４】
ユーザが指でタッチスクリーンに対してタッチ操作を行うとき、静電容量ノードの静電容量変化値は相対的に固定であり、タッチ制御ユニットの全ての誘導サブ電極及び検出電極の面積サイズと、導線のインピーダンスとは、固定値に設定されてよい。したがって、ユーザが検出電極に対してタッチ操作を行うとき、誘導電極に結合された静電容量ノードの静電容量変化値は、ユーザがタッチスクリーンのタッチ領域に対してタッチ操作を行ったときの静電容量ノードの静電容量変化値とは異なる、これにより、ユーザがタッチ領域に対して行った操作とユーザが検出電極に対して行った操作とを区別するという効果が達成される。
【００９５】
例えば、ユーザが指でタッチスクリーンに対してタッチ操作を行うときに静電容量ノードの静電容量変化値が１００である場合、ユーザが検出電極に対してタッチ操作を行うとき、誘導電極に結合された静電容量ノードの静電容量変化値が５０になるように、タッチ制御ユニットの全ての誘導サブ電極及び検出電極の面積サイズと、導線のインピーダンスとは、固定値に設定されてよい。誘導電極に結合された静電容量ノードの静電容量変化値が約５０であり、隣接する静電容量ノードの静電容量変化値が２０を下回ることを検出したとき、コントローラは、ユーザが検出電極に対してタッチ操作を実行したと決定することができる。
【００９６】
要するに、本発明の本実施形態で提供されるタッチ制御ユニットによれば、検出電極が端末のタッチスクリーンのタッチ領域の外側に設けられ、誘導電極がタッチ領域の中に設けられ、検出電極と誘導電極は導線を用いて接続される。ユーザが検出電極を操作すると、誘導電極に結合された静電容量ノードの静電容量変化値に変化が生じる。それによりコントローラは、誘導電極に結合された静電容量ノードの静電容量変化に従って、検出電極がタッチ操作を受信したか否かを検出し、検出電極がタッチ操作を受信したことを検出したときに、対応するタッチイベントを生成することができる。タッチスクリーンの既存の静電容量ノードは、タッチスクリーンの外側に設けられた検出電極に対してユーザが行ったタッチ操作を識別するのに用いられ、端末はタッチ操作に従って制御される。これにより、非常に小さなスペースを占用し非常に低いコストをかけるだけで、端末のキーの数を増やし、端末の制御方式を拡張することができる。したがって、ユーザエクスペリエンスが改善される。
【００９７】
更に、本発明の本実施形態で提供されるタッチ制御ユニットによれば、誘導電極はＮ個の誘導サブ電極に分割される。Ｎ個の誘導サブ電極は互いに絶縁され、Ｎ個の誘導サブ電極にそれぞれ結合される静電容量ノードは互いに隣接しない。Ｎ個の誘導サブ電極に対応する全ての静電容量ノードの静電容量変化値が条件を満たし、他の隣接する静電容量ノードの静電容量変化値が条件を満たさないことが検出されたとき、コントローラは、ユーザが検出電極に対してタッチ操作を行ったと決定する。したがって、誤操作が減少し、検出精度が更に改善される。
【００９８】
加えて、本発明の本実施形態で提供されるタッチ制御ユニットによれば、検出電極がタッチ操作を受信したとき、Ｎ個の誘導サブ電極にそれぞれ対応する静電容量ノードの静電容量変化値は、事前設定された比率になるように設定される。したがって、誤操作が減少し、検出精度が更に改善される。
【００９９】
図４に示される上述のタッチ制御ユニットの更なる説明については、図６を参照されたい。図６は、本発明の更に別の実施形態に係るタッチ制御ユニットの概略構造図を示す。タッチ制御ユニット３３０は、タッチスクリーン３１０及びコントローラ３２０を備える端末３００に適用される。例えば、端末３００は、図１又は図２に示される端末であってよい。タッチ制御ユニット３３０は、検出電極３３２と、誘導電極３３４と、検出電極３３２及び誘導電極３３４を接続する導線３３６とを有する。
【０１００】
検出電極３３２は端末３００のタッチスクリーン３１０のタッチ領域の外側に配置され、誘導電極３３４はタッチスクリーン３１０のタッチ領域の中に配置され、誘導電極３３４はタッチスクリーン３１０の少なくとも１つの静電容量ノードに結合される。よって、少なくとも１つの静電容量ノードの静電容量変化パラメータと、少なくとも１つの静電容量ノードに隣接するノードの静電容量変化パラメータとに従って、検出電極３３２がタッチ操作を受信したと検出したとき、端末３００のコントローラ３２０は、タッチ操作を示すのに用いられるタッチイベントを生成する。静電容量変化パラメータは、対応する静電容量ノードの一定期間内の静電容量変化値を示すのに用いられる。
【０１０１】
コントローラ３２０は、少なくとも１つの静電容量ノードの静電容量変化パラメータと、少なくとも１つの静電容量ノードに隣接するノードの静電容量変化パラメータとを取得するように構成される。静電容量変化パラメータは、対応する静電容量ノードの一定期間内の静電容量変化値を示すのに用いられる。
【０１０２】
コントローラ３２０は、少なくとも１つの静電容量ノードの静電容量変化パラメータと、少なくとも１つの静電容量ノードに隣接するノードの静電容量変化パラメータとに従って、検出電極がタッチ操作を受信したか否かを検出するように構成される。
【０１０３】
コントローラ３２０は、検出電極がタッチ操作を受信したという検出結果であるとき、タッチ操作を示すのに用いられるタッチイベントを生成するように構成される。
【０１０４】
検出電極と誘導電極は、両方とも導電性材料から成る。ユーザがタッチスクリーンの外側の検出電極に対してタッチ操作を行うと、検出電極の電荷が移動し、したがって、誘導電極の電荷もそれに応じて移動する。誘導電極の電荷が移動すると、タッチスクリーン上にあり且つ誘導電極に結合された静電容量ノードの静電容量変化値も変化する。タッチスクリーンに接続されたコントローラは、タッチスクリーンの全ての静電容量ノードの静電容量変化値をスキャンする。誘導ノードに結合された静電容量ノードが変化したことを検出すると、コントローラは、誘導ノードに結合された静電容量ノードの静電容量変化値と、誘導ノードに結合された静電容量ノードに隣接する静電容量ノードの静電容量変化値と、これらの静電容量ノードの位置とに従って、これらの静電容量ノードの静電容量変化が、ユーザが検出電極にタッチすることによって生じた静電容量変化であるのか、ユーザがタッチスクリーンにタッチすることによって生じた静電容量変化であるのかを決定することができる。コントローラが、これらの静電容量ノードの静電容量変化がユーザが検出電極にタッチすることによって生じた静電容量変化であると決定した場合、コントローラは、ユーザが検出電極に対して行ったタッチ操作に対応するタッチイベントを生成する。それにより端末は、タッチイベントに従って、対応する制御操作を実行する。
【０１０５】
留意すべきこととして、タッチ制御ユニットは、端末のタッチスクリーンに直接設けられてよい。例えば、タッチ制御ユニットの誘導電極がタッチスクリーンの静電容量ノードと絶縁及び結合されることを条件として、タッチ制御ユニットは、タッチスクリーンの上面又は下面、或いはタッチスクリーンの内部に設けられてよい。
【０１０６】
代替として、タッチ制御ユニットは、タッチスクリーンの上面を覆うスクリーンプロテクタに直接設けられてよい、例えば、タッチ制御ユニットの誘導電極がタッチスクリーンの静電容量ノードと絶縁及び結合されることを条件として、タッチ制御ユニットは、スクリーンプロテクタの上面又は下面、或いはスクリーンプロテクタの内部に設けられてよい。
【０１０７】
誘導電極３３４は、Ｎ個の誘導サブ電極３３４２を含む。Ｎ個の誘導サブ電極３３４２は互いに絶縁され、Ｎ個の誘導サブ電極３３４２にそれぞれ結合される静電容量ノードは互いに隣接しない。Ｎは整数であり且つＮ≧２である。
【０１０８】
コントローラ３２０は、少なくとも１つの静電容量ノードの静電容量変化パラメータに含まれる静電容量変化値が第１の事前設定された閾値よりも大きいか否かを検出し、少なくとも１つの静電容量ノードに隣接するノードの静電容量変化パラメータに含まれる静電容量変化値が第１の事前設定された閾値以下であるか否かを検出するように構成される。
【０１０９】
コントローラ３２０は、少なくとも１つの静電容量ノードの静電容量変化パラメータに含まれる静電容量変化値が第１の事前設定された閾値よりも大きく、少なくとも１つの静電容量ノードに隣接するノードの静電容量変化パラメータに含まれる静電容量変化値が第１の事前設定された閾値以下であるとき、検出電極２３２がタッチ操作を受信したと決定するように構成される。
【０１１０】
例えば、誘導電極に結合された静電容量ノードの静電容量変化値が比較的大きく、静電容量ノードに隣接する別のノードの静電容量変化値が比較的小さいことを検出したとき、コントローラは、誘導電極に結合された静電容量ノードの静電容量変化が誘導電極における電荷移動によって生じたとみなしてよく、したがって、誘導電極に接続された検出電極がユーザのタッチ操作を受信したと決定することができる。
【０１１１】
実際の適用では、ユーザがタッチスクリーンに対してタッチ操作を行い、タッチ領域が誘導電極に接続された静電容量ノードのみを含むとき、コントローラは、検出電極がユーザ操作を受信したと誤って考慮する場合があり、それにより誤検出が発生する。コントローラの誤検出の可能性を低減し、更に検出精度を改善する目的で、誘導電極はＮ個の部分に分割されてよい。全ての部分は異なる静電容量ノードに結合され、これらの静電容量ノードは互いに隣接しない。誘導電極のＮ個の部分に結合された静電容量ノードの静電容量変化値が条件を満たし、これらの静電容量ノードに隣接する他の静電容量ノードの静電容量変化値が条件を満たさないと検出したとき、コントローラは、誘導電極のＮ個の部分に結合された静電容量ノードの静電容量変化が、ユーザがタッチスクリーンのこれらの静電容量ノードに対して行ったタッチ操作によって生じたのではなく、ユーザが検出電極に対して行ったタッチ操作によって生じた静電容量変化であると決定することができる。
【０１１２】
図３に示される静電容量変化値の概略図を参照すると、誘導電極は３つの誘導サブ電極を含み、端末によって設定される第１の事前設定された値は２０である。全ての静電容量ノードの静電容量変化値を取得した後、コントローラは、３つの誘導サブ電極にそれぞれ結合された静電容量ノードの全ての静電容量変化値が２０を超え、これらの３つの静電容量ノードに隣接する他の静電容量ノードの静電容量変化値がいずれも２０を超えないことを検出する。したがって、ユーザが誘導電極に対応する検出電極に対してタッチ操作を行ったと決定することができる。
【０１１３】
更に、検出電極３３２がタッチ操作を受信したとき、Ｎ個の誘導サブ電極３３４２にそれぞれ対応する静電容量ノードの静電容量変化パラメータは、事前設定された比率である。
【０１１４】
コントローラ３２０は、検出電極３３２がタッチ操作を受信したと決定する前に、Ｎ個の誘導サブ電極３３４２にそれぞれ結合される静電容量ノードの静電容量変化パラメータに含まれる静電容量変化値が事前設定された比率であるか否かを検出し、Ｎ個の誘導サブ電極３３４２にそれぞれ結合される静電容量ノードの静電容量変化パラメータに含まれる静電容量変化値が事前設定された比率であるとき、検出電極３３２がタッチ操作を受信したと決定するように構成される。
【０１１５】
誘導電極によって生じた静電容量ノードの静電容量変化値は、誘導電極及び検出電極の面積サイズと、誘導電極と検出電極との間のインピーダンスとによって決定される。タッチ制御ユニットの設定時、タッチ制御ユニットの全ての誘導サブ電極及び検出電極の面積サイズと、導線のインピーダンスとは、固定値に設定されてよい。よって、ユーザが検出電極に対してタッチ操作を行うとき、全ての誘導サブ電極に結合される静電容量ノードの静電容量変化値は、所定の比率と一致する。したがって、検出精度が更に改善される。
【０１１６】
図３に示される静電容量変化値の概略図を参照する。全ての静電容量ノードの静電容量変化値を取得した後、コントローラは、３つの誘導サブ電極にそれぞれ結合された静電容量ノードの静電容量変化値がそれぞれ５０，４５，４０（事前設定された比率１０：９：８と一致する）であり、これらの３つの静電容量ノードに隣接する他の静電容量ノードの静電容量変化値がいずれも２０を超えないことを検出し、したがって、ユーザが誘導電極に対応する検出電極に対してタッチ操作を行ったと決定することができる。
【０１１７】
更に、検出電極３３２はＮ個の検出サブ電極３３２２を含む。Ｎ個の検出サブ電極３３２２は互いに絶縁される。Ｎ個の検出サブ電極３３２２は、導線３３６を用いて、Ｎ個の誘導サブ電極３３４２に一対一で接続される。
【０１１８】
図５では、ユーザがタッチスクリーンに対してタッチ操作を行い、誘導サブ電極に結合された静電容量ノードの静電容量変化値が変化したとき、それに応じて誘導サブ電極の電荷もカップリング効果によって移動する。全ての誘導サブ電極が同一の検出電極に接続されている場合、他の誘導サブ電極の電荷が移動し、それにより、他の全ての誘導サブ電極に結合された静電容量ノードの静電容量変化値が変化し、誤検出が生じてしまう。このような事態を回避するために、検出電極は、互いに絶縁されたＮ個の検出サブ電極として設けられてもよい。各検出電極が対応して１つの誘導サブ電極に接続されるので、ユーザがタッチスクリーンに対して行ったタッチ操作に起因して誘導サブ電極の電荷が移動しても、タッチ制御ユニットの別の誘導サブ電極の電荷は変化しない。したがって、誤検出状況の発生を回避し、検出精度が更に改善される。
【０１１９】
留意すべきこととして、ユーザが検出電極にタッチ操作を行うときに、タッチ領域がＮ個の検出サブ電極の全てを覆うことができるように、Ｎ個の検出サブ電極を含む検出電極の大きさは、十分小さくなければならない。
【０１２０】
実際の適用では、検出サブ電極の数と誘導サブ電極の数を厳密に等しくする必要はない。例えば、検出サブ電極の数は、誘導サブ電極の数よりも少なく設定されてよい。このとき、１つの検出サブ電極が対応して複数の誘導サブ電極に接続されてよい。或いは、検出サブ電極の数は、誘導サブ電極の数よりも多く設定されてよい。このとき、複数の検出サブ電極が対応して１つの誘導サブ電極に接続される。或いは、複数の検出サブ電極が、複数の誘導サブ電極に交差接続されるように設定されてよい。
【０１２１】
更に、各誘導サブ電極３３４２の面積は、２つの静電容量ノードの面積を超えない。
【０１２２】
タッチスクリーンの１つの静電容量ノードのサイズは、人の指に対して比較的小さい。したがって、ユーザがタッチスクリーンに対してタッチ操作を行うとき、タッチスクリーン上でのユーザの指の接触面積は比較的大きく、これは一般に、複数の隣接する静電容量ノードの静電容量変化値の変化を伴う。したがって、誤検出を低減するために、各誘導サブ電極の影響を受ける静電容量ノードができるだけ少なくなるように、誘導サブ電極の面積はできるだけ小さく設定されてよい。好ましくは、誘導サブ電極の面積は、２つの静電容量ノードの面積よりも小さく設定されてよい。
【０１２３】
更に、導線３３６においてタッチスクリーン３１０の静電容量ノードを通過する部分の幅≦１ｍｍである。
【０１２４】
本発明の本実施形態では、ユーザが検出電極に対してタッチ操作を行うとき、導線にも電荷移動が生じる。導線の幅が比較的大きい場合、導線が通過する静電容量ノードに影響が及び、静電容量ノードの静電容量変化値が変化することがある。導線がタッチスクリーンの静電容量ノードに影響を及ぼすことを防止する目的で、誘導電極はタッチ領域のエッジに設けられてよい。代替として、誘導電極がタッチ領域の非エッジ位置に設けられる場合、導線において静電容量ノードを通過する部分の幅は、できるだけ小さく設定されてよい。好ましくは、導線のこの部分の幅は１ｍｍ未満に設定されてよい。
【０１２５】
任意に、検出電極３３２がタッチ操作を受信したとき、少なくとも１つの静電容量ノードの静電容量変化値は所定の値と一致する。所定の値は、少なくとも１つの静電容量ノードがタッチ操作を受信したときの少なくとも１つの静電容量ノードの静電容量変化値とは異なる。
【０１２６】
ユーザが指でタッチスクリーンに対してタッチ操作を行うとき、静電容量ノードの静電容量変化値は相対的に固定であり、タッチ制御ユニットの全ての誘導サブ電極及び検出電極の面積サイズと、導線のインピーダンスとは、固定値に設定されてよい。したがって、ユーザが検出電極に対してタッチ操作を行うとき、誘導電極に結合された静電容量ノードの静電容量変化値は、ユーザがタッチスクリーンのタッチ領域に対してタッチ操作を行ったときの静電容量ノードの静電容量変化値とは異なる、これにより、ユーザがタッチ領域に対して行った操作とユーザが検出電極に対して行った操作とを区別するという効果が達成される。
【０１２７】
例えば、ユーザが指でタッチスクリーンに対してタッチ操作を行うときに静電容量ノードの静電容量変化値が１００である場合、ユーザが検出電極に対してタッチ操作を行うとき、誘導電極に結合された静電容量ノードの静電容量変化値が５０になるように、タッチ制御ユニットの全ての誘導サブ電極及び検出電極の面積サイズと、導線のインピーダンスとは、固定値に設定されてよい。誘導電極に結合された静電容量ノードの静電容量変化値が約５０であり、隣接する静電容量ノードの静電容量変化値が２０を下回ることを検出したとき、コントローラは、ユーザが検出電極に対してタッチ操作を実行したと決定することができる。
【０１２８】
要するに、本発明の本実施形態で提供されるタッチ制御ユニットによれば、検出電極が端末のタッチスクリーンのタッチ領域の外側に設けられ、誘導電極がタッチ領域の中に設けられ、検出電極と誘導電極は導線を用いて接続される。ユーザが検出電極を操作すると、誘導電極に結合された静電容量ノードの静電容量変化値に変化が生じる。それによりコントローラは、誘導電極に結合された静電容量ノードの静電容量変化に従って、検出電極がタッチ操作を受信したか否かを検出し、検出電極がタッチ操作を受信したことを検出したときに、対応するタッチイベントを生成することができる。タッチスクリーンの既存の静電容量ノードは、タッチスクリーンの外側に設けられた検出電極に対してユーザが行ったタッチ操作を識別するのに用いられ、端末はタッチ操作に従って制御される。これにより、非常に小さなスペースを占用し非常に低いコストをかけるだけで、端末のキーの数を増やし、端末の制御方式を拡張することができる。したがって、ユーザエクスペリエンスが改善される。
【０１２９】
更に、本発明の本実施形態で提供されるタッチ制御ユニットによれば、誘導電極はＮ個の誘導サブ電極に分割される。Ｎ個の誘導サブ電極は互いに絶縁され、Ｎ個の誘導サブ電極にそれぞれ結合される静電容量ノードは互いに隣接しない。Ｎ個の誘導サブ電極に対応する全ての静電容量ノードの静電容量変化値が条件を満たし、他の隣接する静電容量ノードの静電容量変化値が条件を満たさないことが検出されたとき、コントローラは、ユーザが検出電極に対してタッチ操作を行ったと決定する。したがって、誤操作が減少し、検出精度が更に改善される。
【０１３０】
加えて、本発明の本実施形態で提供されるタッチ制御ユニットによれば、検出電極がタッチ操作を受信したとき、Ｎ個の誘導サブ電極にそれぞれ対応する静電容量ノードの静電容量変化値は、事前設定された比率になるように設定される。したがって、誤操作が減少し、検出精度が更に改善される。
【０１３１】
加えて、本発明の本実施形態で提供されるタッチ制御ユニットによれば、検出電極はＮ個の検出サブ電極を含む。Ｎ個の検出サブ電極は互いに絶縁され、Ｎ個の検出サブ電極は、導線を用いて、Ｎ個の誘導サブ電極に一対一で接続される。これにより、静電容量ノードのカップリング効果によりＮ個の誘導サブ電極のうちの１つに電荷移動が発生するとき、別の誘導サブ電極が影響を受けることを防ぐ。したがって、誤検出の可能性が低減され、検出精度が更に改善される。
【０１３２】
最後に、本発明の本実施形態で提供されるタッチ制御ユニットによれば、誘導サブ電極の面積は、２つの静電容量ノードの面積を超えない。誘導電極がタッチスクリーンのタッチ領域の非エッジ位置に位置するとき、導線の幅は１ｍｍ以下に設定される。したがって、誤検出の可能性が更に低減され、検出精度が改善される。
【０１３３】
図７を参照する。図７は、本発明の実施形態に係るタッチスクリーン４１０の概略構造図を示す。タッチスクリーン４１０は、図１又は図２に示される端末４００に適用されてよい。タッチスクリーン４１０は、少なくとも１つのタッチ制御ユニット４３０を備える。
【０１３４】
タッチ制御ユニット４３０は、図４〜図６３のいずれか１つに示されるタッチ制御ユニットである。
【０１３５】
図７において、タッチ制御ユニット４３０は、検出電極４３２、誘導電極４３４及び導線４３６を有する。タッチ制御ユニット４３０は、タッチスクリーン４１０の上面に直接設けられてよい。実際の適用では、タッチ制御ユニット４３０は、タッチ制御ユニット４３０の誘導電極４３４がタッチスクリーン４１０の静電容量ノード４１２と絶縁及び結合されることを条件として、タッチスクリーン４１０の下面、或いはタッチスクリーン４１０の内部に設けられてもよい。
【０１３６】
要するに、本発明の本実施形態で提供されるタッチスクリーンによれば、検出電極がタッチスクリーンのタッチ領域の外側に設けられ、誘導電極がタッチ領域の中に設けられ、検出電極と誘導電極は導線を用いて接続される。ユーザが検出電極を操作すると、誘導電極に結合された静電容量ノードの静電容量変化値に変化が生じる。それによりコントローラは、誘導電極に結合された静電容量ノードの静電容量変化に従って、検出電極がタッチ操作を受信したか否かを検出し、検出電極がタッチ操作を受信したことを検出したときに、対応するタッチイベントを生成することができる。タッチスクリーンの既存の静電容量ノードは、タッチスクリーンの外側に設けられた検出電極に対してユーザが行ったタッチ操作を識別するのに用いられ、端末はタッチ操作に従って制御される。これにより、非常に小さなスペースを占用し非常に低いコストをかけるだけで、端末のキーの数を増やし、端末の制御方式を拡張することができる。したがって、ユーザエクスペリエンスが改善される。
【０１３７】
更に、本発明の本実施形態で提供されるタッチスクリーンによれば、誘導電極はＮ個の誘導サブ電極に分割される。Ｎ個の誘導サブ電極は互いに絶縁され、Ｎ個の誘導サブ電極にそれぞれ結合される静電容量ノードは互いに隣接しない。Ｎ個の誘導サブ電極に対応する全ての静電容量ノードの静電容量変化値が条件を満たし、他の隣接する静電容量ノードの静電容量変化値が条件を満たさないことが検出されたとき、コントローラは、ユーザが検出電極に対してタッチ操作を行ったと決定する。したがって、誤検出の可能性が低減され、検出精度が更に改善される。
【０１３８】
加えて、本発明の本実施形態で提供されるタッチスクリーンによれば、検出電極がタッチ操作を受信したとき、Ｎ個の誘導サブ電極にそれぞれ対応する静電容量ノードの静電容量変化値は、事前設定された比率になるように設定される。したがって、誤検出の可能性が低減され、検出精度が更に改善される。
【０１３９】
加えて、本発明の本実施形態で提供されるタッチスクリーンによれば、検出電極はＮ個の検出サブ電極を含む。Ｎ個の検出サブ電極は互いに絶縁され、Ｎ個の検出サブ電極は、導線を用いて、Ｎ個の誘導サブ電極に一対一で接続される。静電容量ノードのカップリング効果によりＮ個の誘導サブ電極のうちの１つに電荷移動が発生するとき、別の誘導サブ電極が影響を受けることを防ぐ。したがって、誤検出の可能性が低減され、検出精度が更に改善される。
【０１４０】
最後に、本発明の本実施形態で提供されるタッチスクリーンによれば、誘導サブ電極の面積は、２つの静電容量ノードの面積を超えない。誘導電極がタッチスクリーンのタッチ領域の非エッジ位置に位置するとき、導線の幅は１ｍｍ以下に設定される。したがって、誤検出の可能性が更に低減され、検出精度が改善される。
【０１４１】
図８を参照する。図８は、本発明の実施形態に係るスクリーンプロテクタ５４０の概略構造図を示す。スクリーンプロテクタ５４０は、タッチスクリーン５１０を有する端末５００に適用されてよい。スクリーンプロテクタ５４０は、少なくとも１つのタッチ制御ユニット５３０を備える。
【０１４２】
タッチ制御ユニット５３０は、図４〜図６のいずれか１つに示されるタッチ制御ユニットである。
【０１４３】
図８に示されるように、タッチ制御ユニット５３０は、検出電極５３２、誘導電極５３４及び導線５３６を有する。タッチ制御ユニット５３０が、スクリーンプロテクタ５４０の上面に直接設けられてよい。実際の適用では、タッチ制御ユニット５３０は、タッチ制御ユニット５３０の誘導電極５３４が端末５００のタッチスクリーン５１０の静電容量ノード５１２と絶縁及び結合されることを条件として、スクリーンプロテクタ５４０の下面、或いはスクリーンプロテクタ５４０の内部に設けられてもよい。
【０１４４】
要するに、本発明の本実施形態で提供されるスクリーンプロテクタによれば、検出電極が端末のタッチスクリーンのタッチ領域の外側に設けられ、誘導電極がタッチ領域の中に設けられ、検出電極と誘導電極は導線を用いて接続される。ユーザが検出電極を操作すると、誘導電極に結合された静電容量ノードの静電容量変化値に変化が生じる。それによりコントローラは、誘導電極に結合された静電容量ノードの静電容量変化に従って、検出電極がタッチ操作を受信したか否かを検出し、検出電極がタッチ操作を受信したことを検出したときに、対応するタッチイベントを生成することができる。タッチスクリーンの既存の静電容量ノードは、タッチスクリーンの外側に設けられた検出電極に対してユーザが行ったタッチ操作を識別するのに用いられ、端末はタッチ操作に従って制御される。これにより、非常に小さなスペースを占用し非常に低いコストをかけるだけで、端末のキーの数を増やし、端末の制御方式を拡張することができる。したがって、ユーザエクスペリエンスが改善される。
【０１４５】
更に、本発明の本実施形態で提供されるスクリーンプロテクタによれば、誘導電極はＮ個の誘導サブ電極に分割される。Ｎ個の誘導サブ電極は互いに絶縁され、Ｎ個の誘導サブ電極にそれぞれ結合される静電容量ノードは互いに隣接しない。Ｎ個の誘導サブ電極に対応する全ての静電容量ノードの静電容量変化値が条件を満たし、他の隣接する静電容量ノードの静電容量変化値が条件を満たさないことが検出されたとき、コントローラは、ユーザが検出電極に対してタッチ操作を行ったと決定する。したがって、誤検出の可能性が低減され、検出精度が更に改善される。
【０１４６】
加えて、本発明の本実施形態で提供されるスクリーンプロテクタによれば、検出電極がタッチ操作を受信したとき、Ｎ個の誘導サブ電極にそれぞれ対応する静電容量ノードの静電容量変化値は、事前設定された比率になるように設定される。したがって、誤検出の可能性が低減され、検出精度が更に改善される。
【０１４７】
加えて、本発明の本実施形態で提供されるスクリーンプロテクタによれば、検出電極はＮ個の検出サブ電極を含む。Ｎ個の検出サブ電極は互いに絶縁され、Ｎ個の検出サブ電極は、導線を用いて、Ｎ個の誘導サブ電極に一対一で接続される。これにより、静電容量ノードのカップリング効果によりＮ個の誘導サブ電極のうちの１つに電荷移動が発生するとき、別の誘導サブ電極が影響を受けることを防ぐ。したがって、誤検出の可能性が低減され、検出精度が更に改善される。
【０１４８】
最後に、本発明の本実施形態で提供されるスクリーンプロテクタによれば、誘導サブ電極の面積は、２つの静電容量ノードの面積を超えない。誘導電極がタッチスクリーンのタッチ領域の非エッジ位置に位置するとき、導線の幅は１ｍｍ以下に設定される。したがって、誤検出の可能性が更に低減され、検出精度が改善される。
【０１４９】
図９を参照する。図９は、本発明の実施形態に係る操作検出装置の装置構造図を示す。操作検出装置は、タッチスクリーンと、タッチスクリーンに接続されたコントローラと、少なくとも１つのタッチ制御ユニットとを有する端末に適用されてよい。タッチ制御ユニットは、検出電極と、誘導電極と、検出電極及び誘導電極を接続する導線とを有する。検出電極は、タッチスクリーンのタッチ領域の外側に位置し、誘導電極は、タッチスクリーンのタッチ領域の中に位置する。誘導電極は、タッチスクリーンの少なくとも１つの静電容量ノードに結合される。操作検出装置は、
少なくとも１つの静電容量ノードの静電容量変化パラメータと、少なくとも１つの静電容量ノードに隣接するノードの静電容量変化パラメータとを取得するように構成されるパラメータ取得モジュール６０１であって、静電容量変化パラメータは、対応する静電容量ノードの一定期間内の静電容量変化値を示すのに用いられる、パラメータ取得モジュール６０１と、
少なくとも１つの静電容量ノードの静電容量変化パラメータと、少なくとも１つの静電容量ノードに隣接するノードの静電容量変化パラメータとに従って、検出電極がタッチ操作を受信したか否かを検出するように構成される検出モジュール６０２と、
検出電極がタッチ操作を受信したという検出結果であるとき、タッチ操作を示すのに用いられるタッチイベントを生成するように構成されるイベント生成モジュール６０３と、
を備えてよい。
【０１５０】
要するに、本発明の本実施形態で提供される操作検出装置によれば、タッチスクリーンのタッチ領域に設けられた誘導電極に結合された静電容量ノードの静電容量変化と、該静電容量ノードに隣接する静電容量ノードの静電容量変化とに従って、タッチスクリーンのタッチ領域の外側に設けられた検出電極がタッチ操作を受信したと検出されたとき、対応するタッチイベントが生成される。タッチスクリーンの既存の静電容量ノードは、ユーザがタッチスクリーンの外側に設けられた検出電極に対して行ったタッチ操作を識別するのに用いられ、端末はタッチ操作に従って制御される。これにより、非常に小さなスペースを占用し非常に低いコストをかけるだけで、端末のキーの数を増やし、端末の制御方式を拡張することができる。したがって、ユーザエクスペリエンスが改善される。
【０１５１】
図９に対応する上述の実施形態の更なる説明については、図１０を参照されたい。図１０は、本発明の別の実施形態に係る操作検出装置の装置構造図を示す。操作検出装置は、タッチスクリーンと、タッチスクリーンに接続されたコントローラと、少なくとも１つのタッチ制御ユニットとを備える端末に適用されてよい。タッチ制御ユニットは、検出電極と、誘導電極と、検出電極及び誘導電極を接続する導線とを有する。検出電極は、タッチスクリーンのタッチ領域の外側に位置し、誘導電極は、タッチスクリーンのタッチ領域の中に位置する。誘導電極は、タッチスクリーンの少なくとも１つの静電容量ノードに結合される。操作検出装置は、
少なくとも１つの静電容量ノードの静電容量変化パラメータと、少なくとも１つの静電容量ノードに隣接するノードの静電容量変化パラメータとを取得するように構成されるパラメータ取得モジュール６０１であって、静電容量変化パラメータは、対応する静電容量ノードの一定期間内の静電容量変化値を示すのに用いられる、パラメータ取得モジュール６０１と、
少なくとも１つの静電容量ノードの静電容量変化パラメータと、少なくとも１つの静電容量ノードに隣接するノードの静電容量変化パラメータとに従って、検出電極がタッチ操作を受信したか否かを検出するように構成される検出モジュール６０２と、
検出電極がタッチ操作を受信したという検出結果であるとき、タッチ操作を示すのに用いられるタッチイベントを生成するように構成されるイベント生成モジュール６０３と、
を備えてよい。
【０１５２】
任意に、検出モジュール６０２は、
少なくとも１つの静電容量ノードの静電容量変化パラメータに含まれる静電容量変化値が第１の事前設定された閾値よりも大きいか否かを検出するように構成される第１の検出ユニット６０２ａと、
少なくとも１つの静電容量ノードに隣接するノードの静電容量変化パラメータに含まれる静電容量変化値が第１の事前設定された閾値以下であるか否かを検出するように構成される第２の検出ユニット６０２ｂと、
少なくとも１つの静電容量ノードの静電容量変化パラメータに含まれる静電容量変化値が第１の事前設定された閾値よりも大きく、少なくとも１つの静電容量ノードに隣接するノードの静電容量変化パラメータに含まれる静電容量変化値が第１の事前設定された閾値以下であるとき、検出電極がタッチ操作を受信したと決定するように構成される第１の決定ユニット６０２ｃと、
を有する。
【０１５３】
更に、検出モジュール６０２は更に、
検出電極がタッチ操作を受信したと第１の決定ユニット６０２ｃが決定する前に、Ｎ個の誘導サブ電極とそれぞれ結合される静電容量ノードの静電容量変化パラメータに含まれる静電容量変化値が事前設定された比率であるか否かを検出するように構成される第３の検出ユニット６０２ｄ、
を有し、
第１の決定ユニット６０２ｃは、Ｎ個の誘導サブ電極にそれぞれ結合される静電容量ノードの静電容量変化パラメータに含まれる静電容量変化値が事前設定された比率であるとき、検出電極がタッチ操作を受信したと決定するステップを実行するように構成され、
誘導電極はＮ個の誘導サブ電極を含み、Ｎ個の誘導サブ電極は互いに絶縁され、Ｎ個の誘導サブ電極にそれぞれ結合される静電容量ノードは互いに隣接せず、Ｎ≧２である。
【０１５４】
任意に、検出モジュール６０２は、
少なくとも１つの静電容量ノードの静電容量変化パラメータに含まれる静電容量変化値が所定の値と一致するか否かを検出するように構成される第４の検出モジュール６０２ｅであって、所定の値は、少なくとも１つの静電容量ノードがタッチ操作を受信したときの少なくとも１つの静電容量ノードの静電容量変化値とは異なる、第４の検出モジュール６０２ｅと、
少なくとも１つの静電容量ノードに隣接するノードの静電容量変化パラメータに含まれる静電容量変化値が第２の事前設定された閾値以下であるか否かを検出するように構成される第５の検出ユニット６０２ｆと、
少なくとも１つの静電容量ノードの静電容量変化パラメータに含まれる静電容量変化値が所定の値と一致し、少なくとも１つの静電容量ノードに隣接するノードの静電容量変化パラメータに含まれる静電容量変化値が第２の事前設定された閾値以下であるとき、検出電極がタッチ操作を受信したと決定するように構成される第２の決定ユニット６０２ｇと、
を有する。
【０１５５】
要するに、本発明の本実施形態で提供される操作検出装置によれば、タッチスクリーンのタッチ領域に設けられた誘導電極に結合された静電容量ノードの静電容量変化と、該静電容量ノードに隣接する静電容量ノードの静電容量変化とに従って、タッチスクリーンのタッチ領域の外側に設けられた検出電極がタッチ操作を受信したと検出されたとき、対応するタッチイベントが生成される。タッチスクリーンの既存の静電容量ノードは、ユーザがタッチスクリーンの外側に設けられた検出電極に対して行ったタッチ操作を識別するのに用いられ、端末はタッチ操作に従って制御される。これにより、非常に小さなスペースを占用し非常に低いコストをかけるだけで、端末のキーの数を増やし、端末の制御方式を拡張することができる。したがって、ユーザエクスペリエンスが改善される。
【０１５６】
更に、本発明の本実施形態で提供される操作検出装置によれば、ユーザが検出電極に対してタッチ操作を実行したことは、Ｎ個の誘導サブ電極に対応する全ての静電容量ノードの静電容量変化値が条件を満たし、他の隣接する静電容量ノードの静電容量変化値が条件を満たさないことが検出されたときに決定される。したがって、誤検出の可能性が更に低減され、検出精度が改善される。
【０１５７】
加えて、本発明の本実施形態で提供される操作検出装置によれば、ユーザが検出電極に対してタッチ操作を実行したことは、Ｎ個の誘導サブ電極にそれぞれ対応する静電容量ノードの静電容量変化値が事前設定された比率になるように設定されることが検出されたときに決定される。したがって、誤検出の可能性が更に低減され、検出精度が改善される。
【０１５８】
図１１を参照する。図１１は、本発明の実施形態に係る操作検出方法の方法フローチャートを示す。本方法は、タッチスクリーンと、タッチスクリーンに接続されたコントローラと、少なくとも１つのタッチ制御ユニットとを有する端末に適用されてよい。タッチ制御ユニットは、検出電極と、誘導電極と、検出電極及び誘導電極を接続する導線とを有する。検出電極は、タッチスクリーンのタッチ領域の外側に位置し、誘導電極は、タッチスクリーンのタッチ領域の中に位置する。誘導電極は、タッチスクリーンの少なくとも１つの静電容量ノードに結合される。操作検出方法は、以下のステップを含んでよい。
【０１５９】
ステップ７０２：端末が、少なくとも１つの静電容量ノードの静電容量変化パラメータと、少なくとも１つの静電容量ノードに隣接するノードの静電容量変化パラメータとを取得する。静電容量変化パラメータは、対応する静電容量ノードの一定期間内の静電容量変化値を示すのに用いられる。
【０１６０】
ステップ７０４：端末が、少なくとも１つの静電容量ノードの静電容量変化パラメータと、少なくとも１つの静電容量ノードに隣接するノードの静電容量変化パラメータとに従って、検出電極がタッチ操作を受信したか否かを検出する。
【０１６１】
ステップ７０６：検出電極がタッチ操作を受信したという検出結果であるとき、端末が、タッチ操作を示すのに用いられるタッチイベントを生成する。
【０１６２】
要するに、本発明の本実施形態で提供される操作検出方法によれば、タッチスクリーンのタッチ領域に設けられた誘導電極に結合された静電容量ノードの静電容量変化と、該静電容量ノードに隣接する静電容量ノードの静電容量変化とに従って、タッチスクリーンのタッチ領域の外側に設けられた検出電極がタッチ操作を受信したと検出されたとき、対応するタッチイベントが生成される。タッチスクリーンの既存の静電容量ノードは、ユーザがタッチスクリーンの外側に設けられた検出電極に対して行ったタッチ操作を識別するのに用いられ、端末はタッチ操作に従って制御される。これにより、非常に小さなスペースを占用し非常に低いコストをかけるだけで、端末のキーの数を増やし、端末の制御方式を拡張することができる。したがって、ユーザエクスペリエンスが改善される。
【０１６３】
図１１に対応する上述の実施形態の更なる説明については、図１２を参照されたい。図１２は、本発明の別の実施形態に係る操作検出方法の方法フローチャートを示す。本方法は、タッチスクリーンと、タッチスクリーンに接続されたコントローラと、少なくとも１つのタッチ制御ユニットとを備える端末に適用されてよい。タッチ制御ユニットは、検出電極と、誘導電極と、検出電極及び誘導電極を接続する導線とを有する。検出電極は、タッチスクリーンのタッチ領域の外側に位置し、誘導電極は、タッチスクリーンのタッチ領域の中に位置し、誘導電極は、タッチスクリーンの少なくとも１つの静電容量ノードに結合される。例えば、端末は、図１又は図２に示される端末であってよい。本操作検出方法は以下のステップを含んでよい。
【０１６４】
ステップ８０２：端末が、少なくとも１つの静電容量ノードの静電容量変化パラメータと、少なくとも１つの静電容量ノードに隣接するノードの静電容量変化パラメータとを取得する。
【０１６５】
静電容量変化パラメータは、対応する静電容量ノードの一定期間内の静電容量変化値を示すのに用いられる。端末は、少なくとも１つのタッチ制御ユニットを備える。タッチ制御ユニットの構造については図１又は図２を参照し、ここでは詳細の説明を省略する。
【０１６６】
ステップ８０４：端末が、少なくとも１つの静電容量ノードの静電容量変化パラメータに含まれる静電容量変化値が第１の事前設定された閾値よりも大きいか否かを検出し、少なくとも１つの静電容量ノードに隣接するノードの静電容量変化パラメータに含まれる静電容量変化値が第１の事前設定された閾値以下であるか否かを検出する。
【０１６７】
ステップ８０６：少なくとも１つの静電容量ノードの静電容量変化パラメータに含まれる静電容量変化値が第１の事前設定された閾値よりも大きく、少なくとも１つの静電容量ノードに隣接するノードの静電容量変化パラメータに含まれる静電容量変化値が第１の事前設定された閾値以下であるとき、端末が、検出電極がタッチ操作を受信したと決定する。
【０１６８】
検出電極がタッチ操作を受信したと決定される前に、Ｎ個の誘導サブ電極とそれぞれ結合される静電容量ノードの静電容量変化パラメータに含まれる静電容量変化値が事前設定された比率であるか否かが検出される。Ｎ個の誘導サブ電極にそれぞれ結合される静電容量ノードの静電容量変化パラメータに含まれる静電容量変化値が事前設定された比率であるとき、検出電極がタッチ操作を受信したと決定するステップが実行される。誘導電極はＮ個の誘導サブ電極を含み、Ｎ個の誘導サブ電極は互いに絶縁され、Ｎ個の誘導サブ電極にそれぞれ結合される静電容量ノードは互いに隣接せず、Ｎ≧２である。
【０１６９】
タッチ制御ユニットの検出電極がユーザ操作を受信したことを端末が検出するプロセスについては、図２に対応する実施形態の説明を参照し、ここでは詳細の説明を省略する。
【０１７０】
ステップ８０８：端末が、少なくとも１つの静電容量ノードの静電容量変化パラメータに含まれる静電容量変化値が所定の値と一致するか否かを検出し、少なくとも１つの静電容量ノードに隣接するノードの静電容量変化パラメータに含まれる静電容量変化値が第２の事前設定された閾値以下であるか否かを検出する。
【０１７１】
所定の値は、少なくとも１つの静電容量ノードがタッチ操作を受信したときの少なくとも１つの静電容量ノードの静電容量変化値と異なる。
【０１７２】
ステップ８１０：少なくとも１つの静電容量ノードの静電容量変化パラメータに含まれる静電容量変化値が所定の値と一致し、少なくとも１つの静電容量ノードに隣接するノードの静電容量変化パラメータに含まれる静電容量変化値が第２の事前設定された閾値以下であるとき、端末が、検出電極がタッチ操作を受信したと決定する。
【０１７３】
タッチ制御ユニットの検出電極がユーザ操作を受信したことを端末が検出するプロセスについては、図２に対応する実施形態の説明を参照し、ここでは詳細の説明を省略する。
【０１７４】
ステップ８１２：端末が、タッチ操作を示すのに用いられるタッチイベントを生成する。
【０１７５】
要するに、本発明の本実施形態で提供される操作検出方法によれば、タッチスクリーンのタッチ領域に設けられた誘導電極に結合された静電容量ノードの静電容量変化と、該静電容量ノードに隣接する静電容量ノードの静電容量変化とに従って、タッチスクリーンのタッチ領域の外側に設けられた検出電極がタッチ操作を受信したと検出されたとき、対応するタッチイベントが生成される。タッチスクリーンの既存の静電容量ノードは、ユーザがタッチスクリーンの外側に設けられた検出電極に対して行ったタッチ操作を識別するのに用いられ、端末はタッチ操作に従って制御される。これにより、非常に小さなスペースを占用し非常に低いコストをかけるだけで、端末のキーの数を増やし、端末の制御方式を拡張することができる。したがって、ユーザエクスペリエンスが改善される。
【０１７６】
更に、本発明の本実施形態で提供される操作検出方法によれば、ユーザが検出電極に対してタッチ操作を実行したことは、Ｎ個の誘導サブ電極に対応する全ての静電容量ノードの静電容量変化値が条件を満たし、他の隣接する静電容量ノードの静電容量変化値が条件を満たさないことが検出されたときに決定される。したがって、誤検出の可能性が更に低減され、検出精度が改善される。
【０１７７】
加えて、本発明の本実施形態で提供される操作検出方法によれば、ユーザが検出電極に対してタッチ操作を実行したことは、Ｎ個の誘導サブ電極にそれぞれ対応する静電容量ノードの静電容量変化値が事前設定された比率になるように設定されることが検出されたときに決定される。したがって、誤検出の可能性が更に低減され、検出精度が改善される。
【０１７８】
当業者であれば理解できるように、実施形態のステップの全部又は一部は、ハードウェア、又は、関連するハードウェアに指示するプログラムによって実現されてよい。プログラムは、コンピュータ可読記憶媒体に記憶されてよい。記憶媒体は、リードオンリーメモリ、磁気ディスク、光ディスク等を含んでよい。
【０１７９】
以上の説明は、本発明の特定の実施方式に過ぎず、本発明の保護範囲を限定するものではない。本発明の原則から逸脱することなくなされる変更、均等置換及び改善は、いかなるものも本発明の保護範囲に包含されるものとする。
【図１】
0006360624.tif 000002
【図２】
0006360624.tif 000003
【図３】
0006360624.tif 000004
【図４】
0006360624.tif 000005
【図５】
0006360624.tif 000006
【図６】
0006360624.tif 000007
【図７】
0006360624.tif 000008
【図８】
0006360624.tif 000009
【図９】
0006360624.tif 000010
【図１０】
0006360624.tif 000011
【図１１】
0006360624.tif 000012
【図１２】
0006360624.tif 000013